(57)【特許請求の範囲】
【請求項１】
録画が予約された番組の録画予約情報をその情報を保持する録画装置から取得するとともに、放送番組の放送スケジュールを示す情報を格納するサーバ装置から放送スケジュール情報を取得する手段と、
取得した録画予約情報および放送スケジュール情報を比較することで、予約後に放送スケジュール情報が変更された番組を抽出し、その抽出した番組を識別可能な状態で表示するための情報を生成する手段と、
その生成した情報を用いて、抽出した番組の情報を録画予約情報に対応付けて表示する表示手段と
を備えた遠隔制御装置。
【請求項２】
指示された番組について、録画装置に保持された録画予約情報の更新を要求する遠隔制御手段をさらに備えた請求項１記載の遠隔制御装置。
【請求項３】
録画済み番組の削除を指示するための削除指示手段をさらに備え、
前記遠隔制御手段は、録画済み番組の削除を前記録画装置に要求する請求項２記載の遠隔制御装置。
【請求項４】
録画予約を追加する番組の録画ビットレートを指示するためのビットレート指示手段をさらに備え、
前記遠隔制御手段は、前記更新要求に、録画予約を追加する番組の録画ビットレートを含める請求項２記載の遠隔制御装置。
【請求項５】
前記録画予約情報は番組タイトル、録画開始時刻、録画時間を含み、前記放送スケジュール情報は番組タイトル、放送開始時刻、放送時間を含むことを特徴とする請求項１記載の遠隔制御装置。
【請求項６】
前記表示手段は、放送番組の録画予約の要否について、録画装置の設定を示すエリアと遠隔制御装置の設定を示すエリアとを設けた録画予約画面を表示する請求項１記載の遠隔制御装置。
【請求項７】
前記抽出した番組の情報を録画予約情報に対応付けて表示する際に、その旨を示す音を鳴らす請求項１記載の遠隔制御装置。
【請求項８】
放送番組を録画する録画装置と、前記放送番組の放送スケジュールを示す情報を格納するサーバ装置と、前記録画装置に対する遠隔制御を行う遠隔制御装置とを備える番組録画システムであって、
前記録画装置は、
録画が予約された番組の録画予約情報を保持する保持手段を有し、
前記遠隔制御装置は、
前記保持手段に保持された録画予約情報を前記録画装置から取得するとともに、前記サーバ装置から放送スケジュール情報を取得する手段と、
取得した録画予約情報および放送スケジュール情報を比較することで、予約後に放送スケジュール情報が変更された番組を抽出し、その抽出した番組を識別可能な状態で表示するための情報を生成する手段と、
その生成した情報を用いて、抽出した番組の情報を録画予約情報に対応付けて表示する表示手段とを有する
番組録画システム。
【請求項９】
放送番組を録画する録画装置であって、
録画が予約された番組の録画予約情報を保持する保持手段と、
前記保持手段に保持された録画予約情報を録画装置から取得するとともに、放送番組の放送スケジュールを示す情報を格納するサーバ装置から放送スケジュール情報を取得する手段と、取得した録画予約情報および放送スケジュール情報を比較することで、予約後に放送スケジュール情報が変更された番組を抽出し、その抽出した番組を識別可能な状態で表示するための情報を生成する手段と、その生成した情報を用いて、抽出した番組の情報を録画予約情報に対応付けて表示する手段と、指示された番組について、録画予約情報の更新を録画装置に要求する遠隔制御手段とを有する遠隔制御装置からの更新要求に応じて前記保持手段に保持した録画予約情報の更新を行う更新手段と
を備えた録画装置。
【請求項１０】
放送番組を録画する録画装置であって、
録画が予約された番組の録画予約情報を保持する保持手段と、
放送番組の放送スケジュールを示す情報および保持した録画予約情報の相違に基づいた相違情報を生成する手段と、
録画装置で生成された相違情報を用いて、予約後に放送スケジュール情報が変更された番組を抽出し、その抽出した番組を識別可能な状態で表示するための情報を生成する手段と、その生成した情報を用いて、抽出した番組の情報を録画予約情報に対応付けて表示する手段と、指示された番組について、録画予約情報の更新を録画装置に要求する遠隔制御手段とを有する遠隔制御装置からの更新要求に応じて前記保持手段に保持した録画予約情報の更新を行う更新手段と
を備えた録画装置。
【請求項１１】
放送スケジュールに追加された番組の中から、録画済み番組に関する録画済み番組情報及び前記録画予約情報の少なくともいずれかに基づいて番組を選択する追加番組選択手段と、
前記選択された番組を前記遠隔制御装置に通知する番組通知手段とをさらに備える請求項９または１０記載の録画装置。
【請求項１２】
放送スケジュールに追加された番組を前記遠隔制御装置に通知せず、録画予約または録画する制御手段をさらに備えた請求項９または１０記載の録画装置。
【請求項１３】
放送スケジュールに追加された番組の録画予約または録画を行ったことを知らせるメッセージを前記遠隔制御装置に送信する請求項１２記載の録画装置。
【請求項１４】
前記制御手段は、放送スケジュールに追加された番組のうち予め定めた条件を満たす番組のみ前記遠隔制御装置に通知せず、録画予約する請求項１３記載の録画装置。
【請求項１５】
前記更新要求は、前記遠隔制御装置のユーザを特定する個人情報を含み、
前記個人情報に基づいて録画済み番組をフィルタリングして表示する請求項９または１０記載の録画装置。
【請求項１６】
前記サーバ装置は、前記録画装置内にある請求項９または１０記載の録画装置。
【請求項１７】
表示手段を有する遠隔制御装置を用いて、録画が予約された番組の録画予約情報を保持する保持手段を有する録画装置を遠隔制御するための遠隔制御方法であって、
前記保持手段に保持された録画予約情報を録画装置から取得するとともに、放送番組の放送スケジュールを示す情報を格納するサーバ装置から放送スケジュール情報を取得する手順と、
取得した録画予約情報および放送スケジュール情報を比較することで、予約後に放送スケジュール情報が変更された番組を抽出し、その抽出した番組を識別可能な状態で表示するための情報を生成する手順と、
その生成した情報を用いて、抽出した番組の情報を録画予約情報に対応付けて表示する手順と
を備えた遠隔制御方法。
【請求項１８】
表示手段を有する遠隔制御装置を用いて、録画が予約された番組の録画予約情報を保持する保持手段を有する録画装置を遠隔制御するための遠隔制御方法であって、
前記保持手段に保持された録画予約情報を録画装置から取得するとともに、放送番組の放送スケジュールを示す情報を格納するサーバ装置から放送スケジュール情報を取得する手順と、
取得した録画予約情報および放送スケジュール情報を比較することで、予約後に放送スケジュール情報が変更された番組を抽出し、その抽出した番組を識別可能な状態で表示するための情報を生成する手順と、
その生成した情報を用いて、抽出した番組の情報を録画予約情報に対応付けて表示する手順と
を備えた遠隔制御方法をコンピュータに実行させるためのプログラム。
【発明の詳細な説明】
【０００１】
【発明の属する技術分野】
本発明は、放送番組を録画するための番組録画システム、並びに遠隔制御の装置、方法及びプログラムに関するものである。
【０００２】
【従来の技術】
衛星波や地上波などを通じたテレビジョン放送はデジタル化されつつある。放送のデジタル化は、チャンネル数を増大させる。チャンネル数の増大によって、ユーザの番組を選択する選択肢も増えるが、チャンネルの切り替えのみによってユーザが番組を選択するのは難しくなる。このため、例えばＢＳデジタル放送では、テレビジョン信号に電子プログラムガイドのための情報（以下「ＥＰＧ情報」という）が、映像や音声信号などと多重化されて伝送される。ＥＰＧ情報は番組の放送スケジュールを示し、放送の受信装置は、そのＥＰＧ情報に対応してモニタに番組表を表示する。ユーザは、モニタに表示された番組表に含まれる番組のうちから、視聴する番組を選択すればよい。選択された番組がそのとき放送されているものでなければ、その番組の視聴又は録画が予約されたことになる。
【０００３】
ＥＰＧ情報は繰り返し放送され、番組の放送スケジュールに変更があると、その変更は放送局側でＥＰＧ情報に反映される。例えば番組の追加があっても、変更されたＥＰＧ情報に対応する番組表でその番組を見つければ、視聴や録画予約のために、ユーザは、追加された番組を選択して視聴したり、新たに録画予約を行ったりすることができる。
【０００４】
ユーザが外出しているのであれば、携帯電話機を利用して番組表を確認すればよい。ＥＰＧ情報は放送により提供されるだけでなく、インターネットを通じても提供されており、特開２００１−１４５１４０号公報に記載されているように、ユーザはブラウザ機能を有した携帯電話機で番組表を確認し、さらに番組の録画予約を行うこともできる。
【０００５】
【発明が解決しようとする課題】
しかしながら、携帯電話機やリモコンなどの遠隔制御装置に確保される表示面積は限られている。このため、番組の一覧性が十分でないことも多く、最新の番組表に追加された番組が含まれていても、ユーザが見過ごしてしまう可能性がある。
【０００６】
本発明は、このような従来の技術における課題を鑑みてなされたものであり、遠隔制御装置を用いて、放送スケジュールの変更をユーザが容易且つ確実に気づくことのできる番組録画システム、並びに遠隔制御の装置、方法及びプログラムを提供することを目的とする。
【０００７】
【課題を解決するための手段】
本発明に基づいて、放送番組を録画する録画装置と、放送番組の放送スケジュールを示す情報を格納するサーバ装置と、録画装置に対する遠隔制御を行う遠隔制御装置とを備える番組録画システムが提供される。
【０００８】
録画装置では、保持手段に、録画が予約された番組の、少なくとも録画開始時刻と録画時間又は録画終了時刻とを含む録画予約情報が保持される。制御手段は、保持された録画予約情報に基づき、録画手段を制御し、録画予約された番組が録画される。更新手段は、外部から更新要求があると、それに応じて録画予約情報の更新を行う。
【０００９】
ユーザは、遠隔制御装置を用いて、録画予約情報を更新することができる。この場合、取得手段が、サーバ装置から放送スケジュール情報を、録画装置から録画予約情報を取得する。決定手段は、取得された録画予約情報が放送スケジュール情報と相違する内容に基づいて、表示手段に表示される表示情報を決定する。そして、遠隔制御手段は、録画装置に対し録画予約情報の更新を要求する。
【００１０】
このような番組録画システムでは、表示情報を確認することによって、ユーザは、容易且つ確実に放送スケジュールの変更に気づくことができる。
【００１１】
表示情報は、例えば録画が予約された番組の中で放送スケジュールが変更された番組を識別可能な状態で表示するための情報を含む。ユーザは、録画予約された番組全てについてその情報を確認する必要はなく、放送スケジュールが変更された番組についてのみ録画予約情報を確認すればよい。
【００１２】
ユーザが放送スケジュールの変更に合わせて録画予約情報を変更する場合、更新要求は、放送スケジュールが変更された番組の録画予約を変更後の放送スケジュールに合致させる要求となる。
【００１３】
サーバ装置は、録画装置と別に設けるのではなく、録画装置内に設けてもよい。この場合、取得手段は、実質的に録画装置から録画予約情報と放送スケジュール情報を取得する。
【００１４】
放送スケジュールに新たな番組が追加された場合、追加された番組を表示情報に含めてユーザに知らせてもよいが、例えば特開２０００−３５８１９９号公報に記載されているように、録画装置が、追加された番組をユーザに積極的に通知してもよい。この公報に記載された放送受信装置は、番組のスケジュール情報に新たに追加された新規番組がユーザの望む番組であると判定すると、ユーザの望む番組が追加されたことをユーザに通知する。判定は、ユーザが予め設定した番組絞り込み情報に基づいて行われる。番組絞り込み情報は、ユーザが自信の望む番組を絞り込むために入力又は選択したキーワードやジャンルに関する情報である。但し、ユーザはキーワードやジャンルを予め設定しておかなければならないし、番組編成や嗜好の変化などによって、ユーザが望む番組が変わる度に、番組絞り込み情報の設定が必要になる。ユーザが設定変更を煩わしく感じると、通知される新規番組にユーザの最近の関心が反映されなくなる。
【００１５】
このような煩わしさを避けるために、録画装置は、追加番組選択手段と番組通知手段を備えてもよい。追加番組選択手段は、放送スケジュールに追加された番組の中から、録画済み番組に関する録画済み番組情報及び前記録画予約情報の少なくともいずれかに基づいて番組を選択する。番組通知手段は、選択された番組を遠隔制御装置に通知する。既に録画された番組や録画予約された番組にはユーザの関心が反映されている。録画済み番組情報や録画予約情報は、ユーザが通知番組を絞り込むために登録する情報ではなく、録画装置は自動的にこれらの情報を保持できるから、録画済み番組情報や録画予約情報に基づいて通知番組を選択することによって、ユーザの煩わしさを大幅に軽減することができる。
【００１６】
また、録画装置において、制御手段は、放送スケジュールに追加された番組を自動的に録画予約または録画してもよい。放送スケジュールに追加された番組を自動的に録画予約又は録画しておけば、番組が追加されてから放送されるまでの期間が短く、ユーザが番組の追加を直ちに知らなかったような場合でも、その番組を見損ねてしまうのを避けることができる。
【００１７】
但し、この場合には、ユーザが録画予約又は録画の必要性を感じない番組も録画予約又は録画される可能性があるため、録画装置は、放送スケジュールに追加された番組の録画予約または録画を行ったことを知らせるメッセージを遠隔制御装置に送信するのが好ましい。
【００１８】
また、遠隔制御装置は、比較手段と削除指示手段とを備えてもよい。比較手段は、録画予約が追加される番組を録画するために必要な録画容量と番組が録画される録画媒体の残り容量とを比較し、比較結果を表示手段に表示する。ユーザは、表示された比較結果から録画媒体の残り容量が番組を録画するには不足していると判断すると、削除指示手段を用いてその録画媒体に録画済みの番組を削除する。これによって、ユーザが遠隔制御装置を用いて録画予約する番組を追加する場合にも、番組を録画するための録画容量が適切に確保され、番組の一部しか録画されなかったり、録画済み番組が不用意に上書きされてしまったりするのを避けることができる。
【００１９】
また、番組を録画するための録画容量を確保するために、遠隔制御装置が、ビットレート指示手段を備えてもよい。表示された比較結果から録画媒体の残り容量が番組を録画するには不足していると判断したとき、ユーザは、ビットレート指示手段を用いて、番組の録画ビットレートを指示する。これによって、ユーザが遠隔制御装置を用いて録画予約する番組を追加する場合にも、その番組を録画するための録画容量が適切に確保される。
【００２０】
また、遠隔制御装置の遠隔制御手段が録画装置に対して行う更新要求には、遠隔制御装置のユーザを特定する個人情報を含めてもよい。個人情報として、例えば携帯電話機の電話番号や、携帯電話機に取り外し可能に装着されるＩＣカードに格納されるＩＤが用いられる。更新要求に含まれた個人情報を用いれば、録画装置は、遠隔制御装置のユーザを特定し、特定結果に基づいて録画や再生の制御を行うことができる。
【００２１】
例えば番組の再生表示が可能な録画装置は家族で共用されることも多いが、録画媒体の記憶容量が増大することもあって、録画される番組の数は著しく増え、その結果、ユーザ自身が録画予約又は録画した番組を見つけるのは困難になる。同様に、一つの番組に対して、複数人がそれぞれ異なるシーンにマーカーを付けることも考えられるが、ユーザ自身がつけたマーカーをみつけることも困難になる。このような場合でも、録画装置が個人情報に基づいて録画済み番組やマーク済み画像をフィルタリングして表示すれば、ユーザは、そのユーザ自身が録画の操作を行った番組のうちから、再生表示する番組やシーンを容易に選択することができる。
【００２２】
また、本発明の他の観点に基づいて、上述の遠隔制御装置や遠隔制御の方法も提供される。遠隔制御装置を用いて、録画装置を遠隔制御する遠隔制御方法では、サーバ装置から放送スケジュール情報が、録画装置から録画予約情報が取得される。そして、取得された録画予約情報が放送スケジュール情報と相違する内容に基づいて、表示手段に表示される表示情報が決定され、録画装置に対し録画予約情報の更新要求が行われる。
【００２３】
さらに、この遠隔制御方法をコンピュータに実行させるためのプログラムも提供される。この場合、例えば遠隔制御装置として動作するコンピュータが、スケジュール情報及び録画予約情報を取得し、表示情報を決定し、更新要求を行う。このプログラムは、インターネットなどの電気通信回線を通じて流通したり、ＣＤ−ＲＯＭなどのコンピュータ読み取り可能な記録媒体に記憶された状態で流通したりする。
【００２４】
【発明の実施の形態】
以下、図面を参照して、本発明の実施の形態につき説明する。
（実施の形態１）
図１に示すように、この実施の形態１における番組録画システムは、録画装置１と遠隔制御装置１００とを備える。
【００２５】
録画装置１は、複数のトランスポンダ（中継器）の出力信号をアンテナ２で受信する。チューナ３は、アンテナ２で受信された信号のうちの１つを選択し、選択した信号をトランスポートデコーダ４へ出力する。トランスポートデコーダ４は、この信号に含まれる複数チャネルのうちの一つを選択する。通常、この出力信号（トランスポートストリーム）には４〜６チャネルの番組が含まれている。さらに、トランスポートデコーダ４は、選択したチャネル（以下の説明では「チャネル１」とすることがある）の信号から映像信号、音声信号及びＳＩ（Ｓｅｒｖｉｃｅ  Ｉｎｆｏｒｍａｔｉｏｎ）などを分離し、映像信号及び音声信号は録画手段５に出力する。ＳＩは、チャンネルごとに番組に関するＥＩＴ（Ｅｖｅｎｔ  Ｉｎｆｏｒｍａｔｉｏｎ  Ｔａｂｌｅ）を含む。
【００２６】
ＥＩＴは、複数のイベント（番組）毎に番組の情報が記述されるテーブルであり、ここでは、番組の放送スケジュールを示す情報として用いられる。番組の情報には、番組の識別番号が記述されるｅｖｅｎｔＩＤフィールド、番組の開始時刻が記述されるｓｔａｒｔフィールド、番組が放送される時間の長さが記述されるｄｕｒａｔｉｏｎフィールド、番組のタイトルが記述される番組名フィールドなどが含まれる。
【００２７】
例えば７：００から９：００まで野球が放送される場合、図２（Ａ）に示すように、その番組に関するｅｖｅｎｔｉｄフィールドに「０１」が記述され、ｓｔａｒｔフィールドに「７：００」が記述され、ｄｕｒａｔｉｏｎフィールドに「２：００」が記述され、番組名フィールドに「野球」が記述される。また、９：００から１１：００までドラマが放送される場合、図２（Ｂ）に示すように、その番組に関するｅｖｅｎｔｉｄフィールドに「０２」が記述され、ｓｔａｒｔフィールドに「９：００」が記述され、ｄｕｒａｔｉｏｎフィールドに「２：００」が記述され、番組名フィールドに「ドラマ」が記述される。
【００２８】
録画制御手段Ｍは、このようなＥＩＴをトランスポートデコーダ４から取り出し、録画手段５は、録画制御手段Ｍの制御に従い、ＥＩＴの情報を番組表としてモニタ６上に表示する。
【００２９】
この番組表から選択された番組の録画が予約されると、録画制御手段Ｍは、ＥＩＴから、選択された番組の識別番号、タイトル、開始時刻、及び放送時間を抽出する。録画制御手段Ｍは、抽出した開始時刻及び放送時間を録画開始時刻及び録画時間として定め、番組の識別番号、タイトル、放送チャンネル、録画開始時刻、及び録画時間を番組録画情報として保持手段７に格納する。図２に示した識別番号が「０１」の番組について録画が予約されたとすると、保持手段７は、識別番号として「０１」、タイトルとして「野球」、放送チャンネルとして「１」、録画開始時刻として「７：００」、録画時間として「２：００」という情報を含む録画予約情報を保持することになる。
【００３０】
録画開始時刻になると、録画制御手段Ｍは、保持手段７に保持された録画予約情報に基づき録画手段５を制御し、録画手段５は、トランスポートレコーダ４から出力されたチャンネル１の映像及び音声信号をデコードし、デコードされた映像及び音声信号を録画媒体８に記録する。録画開始から録画時間が経過するまで、録画制御手段Ｍの制御に従い、録画手段５は、映像及び音声信号を録画媒体８に記録し、録画時間が経過すると、その記録を終了する。これによって、保持手段７が録画予約情報を保持する番組の録画が行われる。
【００３１】
更新手段９は、外部からの更新要求に応じて、保持手段７に保持された録画予約情報を更新する。
【００３２】
録画予約情報の更新要求やその他の録画装置１に対する遠隔制御を行うため、ユーザは、遠隔制御装置１００を用いることができる。遠隔制御装置１００は、録画装置１に付属のリモコンやユーザが所有する携帯電話機に相当する。
【００３３】
遠隔制御装置１００を用いてユーザが録画予約情報の更新を指示する場合、遠隔制御装置１００の取得手段１０１、決定手段１０２、及び遠隔制御手段Ｎは、図３に示す手順に従って動作する。
【００３４】
まず、取得手段１０１が、録画装置１から放送スケジュールを示す情報及び録画予約情報を取得する（Ｓ１）。この実施の形態では、サーバ装置１０が、録画装置１内に設けられており、サーバ装置１０が取得手段１０１からの要求を受けて、取得手段１０１に放送スケジュール情報及び録画予約情報を送信する。例えばサーバ装置１０は、ＨＴＴＰサーバとして動作し、取得手段１０１は、ＨＴＴＰクライアントとして動作する。サーバ装置１０は、トランスポートデコーダ４から常時ＥＩＴの情報を取り出し、放送スケジュール情報として格納している。また、この実施の形態では、取得手段１０１から要求を受けると、サーバ装置１０上のプログラムが動作し、そのプログラムに従って、保持手段７に保持された録画予約情報がサーバ装置１０に読み出される。サーバ装置１０に読み出された録画予約情報は、放送スケジュール情報とともに、サーバ装置１０から取得手段１０１に送信されるが、取得手段１０１は、サーバ装置１０及び保持手段７それぞれから別個に放送スケジュール情報及び録画予約情報を取得してもよい。番組録画システムは、例えば図４に示すように、インターネット上のＨＴＴＰサーバ装置として、サーバ装置１０を録画装置１とは別個に備えてもよく、その場合には、取得手段１０１は、サーバ装置１０から放送スケジュール情報を、録画装置１から録画予約情報を取得することになる。
【００３５】
取得手段１０１が放送スケジュール情報及び録画予約情報を取得すると、決定手段１０２は、取得された録画予約情報が放送スケジュール情報と相違する内容に基づいて、表示手段１０３に表示される表示情報を決定する（Ｓ２）。
【００３６】
例えば決定手段１０２は、録画予約情報が取得された番組ごとに、タイトル、録画開始時刻、及び録画時間を、ＥＩＴに含まれるタイトル、開始時刻及び放送時間とそれぞれ比較し、相違があるか否かを判断する。相違のある番組がある場合、決定手段１０２は、放送スケジュールが変更された番組としてその番組を抽出し、それに基づいて表示情報を生成する。この表示情報は、録画が予約された番組の中で、抽出した番組を識別可能な状態で表示するための情報を含む。この情報は、抽出された番組を示す文字の表示色を示す情報であってもよいし、抽出された番組を示す領域の背景色やその領域を囲む矩形枠の太さであってもよい。抽出された番組に対するこれらの情報は、その他の録画が予約された番組の情報と異なることになる。なお、サーバ装置１０が録画装置１内にある場合には、録画装置１に、録画予約情報と放送スケジュールとの両方が保持されているため、録画装置１は、外部装置と通信することなく、両者の相違に基づいた相違情報を生成することも可能である。この場合、録画装置１は、図５に示すように、録画予約情報と放送スケジュールの相違に基づいた相違情報を生成する相違情報生成手段７Ａを備えることになり、遠隔制御装置１００の取得手段１０１は、録画装置１から相違情報を取得し、決定手段１０２は、取得手段１０１により取得されるか録画装置１から送信された相違情報に基づいて表示情報を生成する。
【００３７】
決定手段１０２は表示情報を生成すると、その表示情報を表示手段１０３に出力し、表示手段１０３に表示情報が表示される（Ｓ３）。
【００３８】
図２に示した２つの番組についてのみ録画が予約されており、その後、録画装置１が受信したＥＩＴの情報では、チャンネル１で９時から２時間放送される番組がドラマからニュースに変更されたものとする。この場合には、図６に示すような録画予約画面が表示手段１０３に表示される。この録画予約画面では、放送スケジュールが変更された番組に対する領域を囲む矩形枠の太さが、放送スケジュールが変更されていない番組に対する領域を囲む矩形枠の太さより大きく、ユーザは、矩形枠の太さの違いで両者を識別することができる。簡単のため、２つの番組についてのみ録画が予約されている例を示したが、３つ以上の番組について録画が予約されていても、同様にしてユーザは、放送スケジュールが変更された番組を容易且つ確実に気づくことができ、録画予約情報を更新する必要があるか否かを即座に判断することができる。
【００３９】
ニュースは録画する必要がないと判断したユーザが入力手段１０４を用いて録画予約情報の更新し、その録画予約を削除することを遠隔制御装置１００に指示すると（Ｓ４）、遠隔制御手段Ｎは、その指示に従って、録画装置１に対し録画予約情報の更新を要求する（Ｓ５）。この要求は更新手段９へ送信され、更新手段９は受信した要求に従って、保持手段７に保持された対応する録画予約情報を削除する。
【００４０】
また、ユーザが、そのニュースを録画する必要があると判断し、録画予約を変更することを遠隔制御装置１００に指示した場合にも、遠隔制御手段Ｎは、その指示に従って、録画装置１に対し録画予約情報の更新を要求する。この場合には、更新要求は、放送スケジュールが変更された番組の録画予約を変更後の放送スケジュールに合致させる要求となる。遠隔制御手段Ｎが、放送スケジュール情報から生成した新しい録画予約情報を更新手段９に送信し、受信した録画予約情報で更新手段９が保持手段７に保持された対応する録画予約情報を上書きしてもよいし、遠隔制御手段Ｎは、単に合致を要求するだけで、更新手段９が、変更された放送スケジュールに従って、保持手段７に保持された対応する録画予約情報を更新してもよい。
【００４１】
なお、遠隔制御装置１００がブラウジング機能を有した携帯電話機であり、ブラウジング機能やその他の機能を実現するためにＣＰＵやプログラムを格納するメモリを備えているような場合、遠隔制御装置１００に専用のハードウェアが設けられていなくても、上述の手順がプログラムに記述されていれば、ＣＰＵが、上述の手順を実行し、各手段として動作することができる。
（実施の形態２）
この実施の形態では、番組録画システムの録画装置及び遠隔制御装置として、図７に示すような録画装置１及び遠隔制御装置１００が用いられる。
【００４２】
この録画装置１では、録画手段５としてＡＶデコーダ５Ａが用いられ、番組が録画される録画媒体８としてＨＤＤ８Ａが用いられる。また、ＲＡＭ１１は、保持手段７として用いられ、ＲＡＭ１１内の管理テーブルに録画予約情報が保持される。録画装置１は、遠隔制御装置１００との通信に、赤外線インタフェース１２又は通信網フェース１３を用いることができる。通信網インタフェース１３は、公衆電話回線網や移動体通信網、インターネットなどの通信網を利用するためのインタフェースである。また、録画装置１は、ＣＰＵ１４及びＲＯＭ１５を備えており、ＣＰＵ１４はＲＯＭ１５に格納された各種のプログラムを実行し、様々な機能を実現する。更新手段９及び録画制御手段Ｍも、ＣＰＵ１４がプログラムを実行することによって実現される。
【００４３】
一方、遠隔制御装置１００では、表示手段１０３としてモニタ１０３Ａが用いられ、入力手段１０４として入力インタフェース１０４Ａが用いられる。また、この遠隔制御装置１００も、録画装置１と同様に、赤外線インタフェース１０５、通信網インタフェース１０６、ＲＡＭ１０７、ＣＰＵ１０８、及びＲＯＭ１０９を備えており、ＣＰＵ１０８がＲＯＭ１０９に格納された各種のプログラムを実行し、様々な機能を実現する。取得手段１０１、決定手段１０２、及び遠隔制御手段Ｎも、ＣＰＵ１０８がプログラムを実行することによって実現される。取得手段１０１や遠隔制御手段Ｎが、録画装置１に対して行う通信には、赤外線インタフェース１０５又は通信網インタフェース１０６が用いられることになる。なお、この実施の形態では、遠隔制御手段Ｎは、更新要求を行うだけでなく、遠隔制御装置１００全体の制御も行う。
【００４４】
遠隔制御装置１００の入力インタフェース１０４Ａには、図６に示すように、選択キーＫが複数設けられ、ユーザは選択キーＫを操作して、各種の指示を行うことができる。
【００４５】
ユーザが入力インタフェース１０４Ａを用いて録画予約を指示すると、この指示は当該遠隔制御装置１００の遠隔制御手段Ｎに通知される。通知を受けると、遠隔制御手段Ｎは、図８に示すような初期画面を当該遠隔制御装置１００のモニタ１０３Ａに表示する（図９、ステップＳ１０１）。ユーザは、この表示を見ながら、ＥＰＧ表示時間、ＥＰＧ表示チャネルそして使用場所を設定する。
【００４６】
ＥＰＧ表示時間とは、モニタ１０３Ａに表示されるＥＰＧ情報の時間範囲をいう。ユーザが７：００から１１：００までのＥＰＧ情報を表示したい場合は、入力インタフェース１０４Ａを用いて、表示開始時間設定エリアＥ１に「７：００」を、表示終了時間設定エリアＥ２に「１１：００」をそれぞれ設定する。
【００４７】
ＥＰＧ表示チャネルとは、モニタ１０３Ａに表示されるＥＰＧ情報のチャネルをいう。ユーザがチャネル１のＥＰＧ情報を表示したい場合は、表示チャネル設定エリアＥ３に「チャネル１」を設定する。
【００４８】
使用場所とは、録画予約の際に遠隔制御装置１００が使用される場所をいう。録画装置１が設置されている室内で遠隔制御装置１００が使用されている場合は使用場所設定エリアＥ４に「室内」が設定される。使用場所として「室内」が設定されている場合、録画装置１と遠隔制御装置１００との通信は、赤外線インタフェース１２・１０５を介して行われる。一方、録画装置１が設置されている室内以外で遠隔制御装置１００が使用される場合は使用場所設定エリアＥ４に「室外」が設定される。使用場所として「室外」が設定されている場合、録画装置１と遠隔制御装置１００との通信は、通信網インタフェース１３・１０６を介して行われる。
【００４９】
ＥＰＧ表示時間とＥＰＧ表示チャネルとを特に限定する必要がない場合は、ユーザは、限定する必要のないことを表す「ＡＬＬ」という値をそれらの項目に設定することができる。もっとも、このような設定にすると、表示対象が増加するため、録画装置１と遠隔制御装置１００との間の通信に要する通信時間および通信コストがかさむことになる。
【００５０】
ユーザは、ＥＰＧ表示時間とＥＰＧ表示チャネルと使用場所とを設定したら、モニタ１０３Ａ上の決定ボタンにカーソルを合わせる。ユーザがこの状態で遠隔制御装置１００の入力インタフェース１０４Ａに含まれる選択キーＫを押下すると（図９、ステップＳ１０２）、上述のように設定された情報が遠隔制御手段Ｎに通知される。
【００５１】
ここでは、遠隔制御手段Ｎは、ＥＰＧ表示時間が７：００から１１：００までであることと、ＥＰＧ表示チャネルがチャネル１であることを示すパラメータを含んだ録画予約開始コマンドを録画装置１へ送信する（図９、ステップＳ１０３）。
【００５２】
録画装置１が録画予約開始コマンドを受信すると（図１０、ステップＳ１１）、録画制御手段Ｍは、このコマンドに含まれるパラメータの内容を解釈してＥＰＧ表示チャネルがチャネル１であることを認識し、チャネル１を選択するようにチューナ３を制御する。また、録画制御手段Ｍは、録画予約開始コマンドに含まれるパラメータをＲＡＭ１１に格納し、このパラメータの内容に基づいてＥＩＴをトランスポートデコーダ４から取り出す処理を開始する（図１０、ステップＳ１２）。
【００５３】
パラメータには、ＥＰＧ表示時間が７：００から１１：００までであることが示されているから、この場合、録画制御手段Ｍは、ｓｔａｒｔフィールドに記述されている値が７：００から１１：００までのすべての番組の情報を取り出すことになる。しかしながら、ここでは、図２（Ａ）及び（Ｂ）に示す２つの番組の情報を取り出したものと仮定する。
【００５４】
録画制御手段Ｍは、７：００から９：００までは野球が放送されることと、９：００から１１：００まではドラマが放送されることを認識する。すなわち、録画制御手段Ｍは、ＲＡＭ１１上に管理テーブルＴを生成した後、この管理テーブルＴの各フィールドに野球放送の情報とドラマ放送の情報とを格納する（図１０、ステップＳ１３）。図１１に示すように、管理テーブルＴは、録画予約がＯＮになっているかＯＦＦになっているかを表す録画予約状態とＥＩＴに相当する情報とを関連付けて格納している。図１１の例の場合、図２（Ａ）及び（Ｂ）に示す２つの番組の情報それぞれに対する録画有無フィールドに録画予約状態が記述されている。
【００５５】
但し、野球放送とドラマ放送とは録画予約されたわけではなく、この時点では録画予約候補にすぎない。このため、これら放送に係る管理テーブルＴの録画有無フィールドには「ＯＦＦ」が設定されている。
【００５６】
次いで、録画制御手段Ｍは、通知先が室内であることを示す情報をＲＡＭ１１に格納したうえで、このＲＡＭ１１に格納されている各種情報をパラメータとして含んだＥＰＧ情報通知を遠隔制御装置１００に送信する（図１０、ステップＳ１４）。ＥＰＧ情報通知が遠隔制御装置１００の遠隔制御手段Ｎに受信されると、放送番組の録画予約の要否が選択可能な録画予約画面がモニタ１０３Ａ上に表示される（図９、ステップＳ１０４→Ｓ１０５）。
【００５７】
この録画予約画面には、図１２に示すように、放送番組の録画予約の要否を設定するためのエリアＥ１２だけでなく、録画装置１側の設定内容（すなわち、ＥＰＧ情報通知に含まれるパラメータの内容）を表示するためのエリアＥ１１も設けられている。
【００５８】
ユーザは、エリアＥ１１の表示を参照することによって、現時点における録画装置１側の設定内容を容易に知ることができる。
【００５９】
もっとも、エリアＥ１１とＥ１２とが別個に設けられる必要は必ずしもない。例えばプルダウンメニューを用いて、放送番組の録画予約の要否を設定する場合に、このプルダウンメニューに、録画装置１側の設定内容（すなわち、エリアＥ１１に表示される内容）がデフォルト表示されるようにしておく。
【００６０】
また、録画予約画面中には、設定情報表示エリアＥ２０が設けられている。この設定情報表示エリアＥ２０には、ＥＰＧ表示時間、表示チャネルそして通知先とが「録画装置」「設定」別に表示される。このように「録画装置」「設定」別に表示することによって、ＥＰＧ情報表示エリアにおいてエリアＥ１２だけでなくエリアＥ１１も設けられた場合と同様に、ユーザは容易に設定内容を確認することができる。
【００６１】
すなわち、「録画装置」という見出しとともに表示されるＥＰＧ表示時間等は、現時点における録画装置１側の設定内容を示す。一方、「設定」という見出しとともに表示されるＥＰＧ表示時間等は、この画面においてユーザが設定した内容を示す。
【００６２】
このように設定される項目のうち、通知先とは、放送スケジュールに変更が発生した場合に、これを検知した録画装置１が通知する先をいう。この実施の形態における番組録画システムでは、放送スケジュールに変更があるか否かが判断され、放送スケジュールに追加された番組は、録画装置１から遠隔制御装置１００に通知される。ＣＰＵ１４がプログラムを実行することによって、図１３に示すように、録画装置１に番組通知手段１６が備えられる。番組通知手段１６は、追加された番組を通知するが、通知先の設定が定まっていないと、通知が適切に行われない可能性がある。このため、通知先を設定するためのエリアＥ２１には、放送スケジュールの変更を室内で知ることが予想される状況下では「室内」という値が設定され、一方、室外で知ることが予想される状況下では「室外」という値が設定される。
【００６３】
したがって、ＥＰＧ表示時間として設定した７：００から１１：００までの間に外出する予定がある場合は、「室外」と設定しておくのが好ましい。外出する予定がない場合に「室外」と設定しておいても差し支えないが、通信時間および通信コストの面を考えると妥当でない。
【００６４】
ここで、ユーザが野球放送を録画予約する場合は、図１４に示すように、録画予約画面中の野球設定エリアＥ１２Ａにカーソルを合わせ、その設定状態を「ＯＦＦ」から「ＯＮ」に変更する。また、７：００から１１：００までの間に外出する予定がある場合、ユーザは、録画予約画面中の通知先設定エリアＥ２１にカーソルを合わせ、その設定状態を「室内」から「室外」に変更する。
【００６５】
決定ボタンにカーソルが合っている状態で、ユーザが入力インタフェース１０４Ａに含まれる選択キーＫを押下すると（図９、ステップＳ１０６）、これを検知した遠隔制御手段Ｎは、変更内容を示すパラメータを含んだ録画有無設定コマンドを録画装置１へ送信する（図９、ステップＳ１０７）。
【００６６】
録画装置１が録画有無設定コマンドを受信すると、更新手段９は、このコマンドの内容に基づいてＲＡＭ１１に格納されている各種情報を更新する（図１０、ステップＳ１５→Ｓ１６）。すなわち、更新手段９は、図１５に示すように、野球に係るレコードの録画有無フィールドの内容を「ＯＦＦ」から「ＯＮ」に変更するとともに、通知先を「室内」から「室外」に変更する。
【００６７】
ＲＡＭ１１の内容が更新されると、録画制御手段Ｍは設定完了通知を遠隔制御装置１００に返す。そして、この通知を受けた遠隔制御装置１００の遠隔制御手段Ｎは、図１６に示すように、録画装置１側の設定状態が反映された録画予約画面をモニタ１０３Ａ上に表示する（図９、ステップＳ１０８→Ｓ１０９）。
【００６８】
このようにして録画予約が行われると、録画制御手段Ｍは、管理テーブルＴに格納された番組の情報と、所定の時間間隔で繰り返し放送されているＥＩＴとを比較することによって、放送スケジュールに変更が発生していないかどうかを常にチェックする。そして、放送スケジュールに変更が発生しなかった場合は、７：００から９：００までＨＤＤ８Ａへの書き込みがＯＮとなるよう、録画制御手段Ｍは、ＡＶデコーダ５Ａを制御する。
【００６９】
例えば野球が３０分延長されたことから、この野球とドラマとの間にニュースとニュース解説とが追加放送されることになった場合、ＥＩＴは、図１７（Ａ）〜（Ｄ）に示す４つの番組の情報を含む。
【００７０】
すなわち、図１７（Ａ）に示すように、ｅｖｅｎｔｉｄフィールドに「０１」が記述され、ｓｔａｒｔフィールドに「７：００」が記述され、ｄｕｒａｔｉｏｎフィールドに「２：３０」が記述され、番組名フィールドに「野球」が記述された番組の情報は、７：００から９：３０まで野球放送が延長されたことを示す。また、図１７（Ｂ）に示すように、ｅｖｅｎｔｉｄフィールドに「０２」が記述され、ｓｔａｒｔフィールドに「１０：３０」が記述され、ｄｕｒａｔｉｏｎフィールドに「２：００」が記述され、番組名フィールドに「ドラマ」が記述された番組の情報は、ドラマの放送開始時間が１０：３０に繰り下がったことを示す。
【００７１】
図１７（Ｃ）に示すように、ｅｖｅｎｔｉｄフィールドに「９８」が記述され、ｓｔａｒｔフィールドに「９：３０」が記述され、ｄｕｒａｔｉｏｎフィールドに「０：３０」が記述され、番組名フィールドに「ニュース」が記述された番組の情報は、野球の後にニュースが追加放送されることを示す。また、図１７（Ｄ）に示すように、ｅｖｅｎｔｉｄフィールドに「９９」が記述され、ｓｔａｒｔフィールドに「１０：００」が記述され、ｄｕｒａｔｉｏｎフィールドに「０：３０」が記述され、番組名フィールドに「ニュース解説」が記述された番組の情報は、ニュースの後に更にニュース解説が追加放送されることを示す。
【００７２】
録画制御手段Ｍは、これらの番組の情報が記述されたＥＩＴをトランスポートデコーダ４から取り出すことになる（図１０、ステップＳ１８）。そして、録画予約している野球放送の予定が変更されたことを録画制御手段Ｍが認識すると、図１８に示すように、管理テーブルＴのｄｕｒａｔｉｏｎフィールドの内容が「２：００」から「２：３０」に変更される。
【００７３】
また、前記のように取り出されたＥＩＴには、現時点における管理テーブルＴに存在しない番組の情報（すなわち、ｅｖｅｎｔｉｄが９８の情報とｅｖｅｎｔｉｄが９９の情報）が含まれている。
【００７４】
したがって、録画制御手段Ｍは、新たな番組が追加放送されることを認識し、図１８に示すように、この追加番組であるニュースおよびニュース解説に係る情報を管理テーブルＴに追加する（図１０、ステップＳ１９→Ｓ２０）。録画制御手段Ｍは、通知先が「室外」になっていることから通信網インタフェース１３を選択し、この管理テーブルＴの内容を含む番組追加通知を遠隔制御装置１００に送信する（図１０、ステップＳ２１→Ｓ２２）。
【００７５】
これによって、番組追加通知を受信した遠隔制御装置１００の遠隔制御手段Ｎは、図１９に示すように、この番組追加通知の内容を反映した録画予約画面をモニタ１０３Ａ上に表示する（図９、ステップＳ１１０→Ｓ１１１）。もっとも、このような通知がいつなされるかはユーザが予期できるものではないので、当該録画予約画面を表示する際には着信音を鳴らすのが好ましい。また、取得手段９から取得の要求があったときに、録画予約情報として送信してもよい。
【００７６】
このようにして、新たな番組が追加放送されることをユーザが認識することになる。ユーザが、この追加番組のうち例えばニュース放送を録画したい場合には、録画予約画面中のニュース設定エリアにカーソルを合わせ、図２０に示すように、その設定状態を「ＯＦＦ」から「ＯＮ」に変更すればよい。そして、決定ボタンにカーソルが合っている状態でユーザが選択キーＫを押下すると（図９、ステップＳ１１２）、遠隔制御手段Ｎは、変更内容を示すパラメータを含んだ録画有無設定コマンドを生成し、この録画有無設定コマンドが通信網インタフェース１０６・１３を介して録画装置１へ送信される（図９、ステップＳ１１３）。
【００７７】
なお、上述の説明によると使用場所が「室内」に設定されたままであるので、この録画有無設定コマンドは、赤外線インタフェース１０５・１２を介して送信されるようにも思われる。しかしながら、ここでは、録画装置１が通信網インタフェース１３を選択して発呼しているので（図１０、ステップＳ２１参照）、この呼び出しを受けた遠隔制御手段Ｎは自動的に通信網インタフェース１０６を選択している。
【００７８】
遠隔制御装置１００が発呼する際に、遠隔制御手段Ｎが通信網インタフェース１０６を選択するためには、ユーザが事前に使用場所を「室内」から「室外」に変更しておく。すなわち、使用場所「室内」「室外」の切り替えは、図８に示す画面を表示さえすれば自由に実行可能となっている。
【００７９】
録画有無設定コマンドを受信した録画制御手段Ｍが、図１８に示す管理テーブルＴの内容を図２１に示す内容に変更したのち設定完了通知を送信すると（図１０、ステップＳ２３→Ｓ２４→Ｓ２５）、この設定完了通知を受信した遠隔制御手段Ｎによって図２２に示す内容の録画予約画面がモニタ１０３Ａ上に表示される（図９、ステップＳ１１４→Ｓ１１５）。これによって、録画装置１は、遠隔制御装置１００が受け付けた遠隔操作に基づき、７：００から９：３０までは野球放送を、また、９：３０から１０：００まではニュース放送をＨＤＤ１１へ録画する。
【００８０】
以上のようにして、この番組録画システムは、録画予約している番組を確実に録画することができるのはもちろん、放送スケジュールに変更が発生したことによって新たに追加放送される番組をも確実に録画することができる。
【００８１】
しかも、ユーザは、追加放送されることになった番組を認識することができ、放送される全ての番組のうちから視聴する番組を選択する場合よりも、選択が容易になる。
【００８２】
なお、ユーザは、遠隔制御装置１００の入力インタフェース１０４を用いて、録画予約の追加が行える他、録画予約の変更又は取消なども行うことができる。
【００８３】
図１６の例では、野球放送に関する録画装置１側の録画予約の設定はＯＮになっているが、ユーザは、この番組の録画予約を取り消すことができる。この場合、ユーザは録画予約画面中の野球放送に関する「設定」エリアにカーソルを合わせ、その設定状態を「ＯＮ」から「ＯＦＦ」に変更してから、決定ボタンにカーソルを移し、その状態で選択キーＫを押下すればよい。遠隔制御手段Ｎは、これを検知すると、取消内容を示すパラメータを含むコマンドを録画装置１の録画制御手段Ｍへ送信する。録画装置１がこのコマンドを受信すると、録画制御手段Ｍは、コマンドに含まれるパラメータに基づいて管理テーブルＴに格納されている野球放送の情報に対する録画予約の設定をＯＦＦにする。この後、遠隔制御装置１００が取消完了通知を受信すると、遠隔制御手段Ｎは、録画予約画面中でも、野球放送に関する録画装置１側の録画予約の設定をＯＦＦにする。
【００８４】
録画予約の取消と同様にして、ユーザは録画開始時間の変更なども行うことができる。
【００８５】
また、上述の説明では、放送スケジュールに変更が発生したことによって新たに番組が追加された場合、番組の追加が遠隔制御装置１００に通知されたが、録画制御手段Ｍが、放送スケジュールに追加された番組を自動的に録画予約又は録画するようにしてもよい。この場合、録画制御手段Ｍは、ＥＩＴに記述されたこれら追加番組の情報を管理テーブルＴに追加するとともに、その録画予約状態を無条件にＯＮにする。但し、この場合には、ユーザがその必要性を感じない番組まで録画予約又は録画される可能性があるため、録画装置１は、放送スケジュールに追加された番組の録画予約または録画を行ったことを知らせるメッセージを遠隔制御装置１００に送信するのが好ましい。例えば録画制御手段Ｍは、自動的に録画予約または録画を行った番組のタイトル、放送チャンネル、録画開始時刻、及び録画時間といった情報のリストを生成し、通信網インタフェース１３に出力する。通信網インタフェース１３が、録画制御手段Ｍの制御に従い、リストを遠隔制御装置１に送信し、遠隔制御装置１がリストを受信すると、遠隔制御手段Ｎの制御に従い、このリストがモニタ１０３Ａに表示される。ユーザは、このリストを確認した結果、録画予約情報の更新が必要であると判断した場合、実施の形態１で説明した通り、録画予約を削除したり変更したりすればよい。
【００８６】
また、録画制御手段Ｍは、追加番組の一部のみ録画予約を自動的に行うことにしてもよい。この場合、ユーザは録画制御手段Ｍが自動的に録画予約する追加番組の条件を予め定める。録画制御手段Ｍは、この条件を満たす番組が追加番組にあれば、管理テーブルＴにその追加番組の情報を追加し、それに対する録画予約の設定をＯＮにする。自動的に録画予約される追加番組の条件として、ユーザは、特定の時間帯に放送される番組であるという条件や、特定のチャンネルで放送される番組であるという条件、特定の名称の番組であるという条件などを予め定めておくことができる。災害報道などの特別番組は、多くのユーザにとって重要である可能性が高いため、特別番組が自動的に録画予約されるように条件が定められると好ましい。
【００８７】
また、上述のような番組録画システムでは、通知される追加番組にユーザが全く関心のない番組が含まれる可能性もある。
【００８８】
そこで、図１３に示すように、番組録画システムは、録画装置１に追加番組選択手段１７を備えてもよい。追加番組選択手段１７も、ＣＰＵ１４がプログラムを実行することによって実現される。
【００８９】
追加番組選択手段１７は、放送スケジュールに追加された番組の中から、ここでは、録画予約情報に基づいて、番組を選択する。
【００９０】
録画制御手段Ｍが、管理テーブルＴに格納されている番組の情報と繰り返し放送されているＥＩＴに含まれる番組の情報とを比較することによって新たに番組が追加されたことを認識し、追加番組選択手段１７に追加番組を通知する。
【００９１】
追加番組選択手段１７は、録画制御手段Ｍから追加番組が通知されると、録画予約がＯＮになっている番組の情報を管理テーブルＴから取り出す。
【００９２】
ＥＩＴに記述される番組の情報には、上述した番組のタイトルや放送時間の他、番組の出演者、ジャンル、概要説明、制作者などの詳細な情報も含んでもよく、追加番組選択手段１７は、これらの情報を取り出す。
【００９３】
また、追加番組選択手段１７は、更新されたＥＩＴからも追加番組の情報を取り出し、追加番組の情報と録画予約がＯＮになっている番組の情報とを比較する。この比較の結果、両者の番組の情報が一致するなどの関係にある場合には、追加番組選択手段１７は、その追加番組を選択する。
【００９４】
例えば追加番組の出演者の中に録画予約がＯＮになっている番組の出演者がいれば、追加番組選択手段１７は、その追加番組を選択する。このように、両者の番組の情報が一致するという場合には、両者の番組の情報が完全に一致する場合だけでなく、部分的に一致する場合が含まれる。
【００９５】
また、追加番組選択手段１７は、録画予約がＯＮになっている番組だけでなく、既に録画された番組の録画済み番組情報のみ、又は録画済み番組情報と録画予約情報の両方を用いて、追加番組のうちから番組を選択してもよい。
【００９６】
録画済み番組情報は、既に録画された番組に関する録画予約情報と同等の情報であり、録画手段５は、番組とともに、録画済み番組情報もＨＤＤ８Ａに記録しておく。録画手段５は、ＥＩＴの情報の他、番組を録画する録画ビットレート、その番組の録画に消費された容量なども、録画済み情報としてＨＤＤ８Ａなどに記録してもよい。
【００９７】
追加番組選択手段１７は、ＨＤＤ８Ａから録画済み番組情報を取り出し、録画予約がＯＮになっている番組の情報と同様、録画済み情報と追加番組の情報とを比較する。
【００９８】
ＨＤＤ８Ａに複数の番組に関する録画済み番組情報が格納されていれば、追加番組選択手段１７は、各番組に関する録画済み情報の統計を利用して、番組を選択することもできる。
【００９９】
例えば既に録画された複数の番組にスポーツ番組とニュース番組とが所定数以上含まれていれば、追加番組選択手段１７は、スポーツ番組とニュース番組だけを選択してもよい。
【０１００】
また、追加番組選択手段１７は、既に録画された番組の情報については統計だけを利用し、その統計と録画予約がＯＮになっている番組とに基づいて番組を選択するようにしてもよい。
【０１０１】
既に録画された複数の番組にスポーツ番組とニュース番組とが所定数以上含まれており、スポーツ番組の録画予約がＯＮになっている状態で、追加番組としてニュース番組が通知されたとすると、追加番組選択手段１７は、ニュース番組の録画予約がＯＮになっていなくても、新しいニュース番組を選択する。
【０１０２】
このように選択された番組は追加番組選択手段１７から番組通知手段１６に通知される。番組通知手段１６は、放送スケジュールに追加された番組として、選択された番組のみを遠隔制御装置１００に通知する。
【０１０３】
これによって、遠隔制御装置１００のモニタ１０３Ａには、選択された番組のみを表す通知画面が表示される。選択された番組には、ユーザの関心が自然と反映されるため、この場合、ユーザは、通知番組の絞り込みを行うために煩わしい登録をする必要がない。
【０１０４】
また、遠隔制御装置１００に内蔵された不揮発性メモリや、取り外し可能なメモリカードに、録画予約情報や録画済み番組情報を記憶しておけば、録画装置１の追加番組選択手段１７の代わりに、遠隔制御装置１００が、記憶された情報に基づいて追加番組のうちから番組を選択することもできる。
（実施の形態３）
上述のように番組の録画予約が追加された場合に、番組が録画される録画媒体８が、録画予約の追加された番組の分だけ残っているとは限らない。このため、この実施の形態における遠隔制御装置１００は、図２３に示すように、比較手段１１０を備えている。比較手段１１０は、録画予約が追加される番組を録画するために必要な録画容量と番組が録画される録画媒体８の残り容量とを比較し、比較結果を表示手段１０３に表示する。
【０１０５】
この実施の形態では、録画制御手段Ｍが、録画媒体８の残り容量を管理している。この残り容量は、録画媒体８の総容量から、番組が録画された領域の容量（以下、録画済み容量）と既に録画予約されている番組の録画に消費される容量（以下、引き当て容量）とを差し引いたものである。ここでは、引き当て容量が２．８Ｇｂｙｔｅｓ、残り容量が１０．１Ｇｂｙｔｅｓであるとする。録画制御手段Ｍは、遠隔制御装置１００に録画予約情報を送信する際に、録画媒体８の残り容量を示す情報も送信する。
【０１０６】
遠隔制御装置１００がこの情報を受信すると、比較手段１１０は、録画予約が追加される番組の録画時間、及び録画ビットレートを遠隔制御手段Ｎから取得する。
【０１０７】
録画予約が追加される番組の録画時間が２時間であり、録画ビットレートが９．２Ｍｂｐｓ（１０２４Ｍ＝１Ｇ）であるとする。この場合、録画予約が追加される番組の録画に消費される容量は、約８．１Ｇｂｙｔｅｓとなる。比較手段１１０は、この容量と受信した残り容量とを比較し、例えば両者の差を比較結果として表示手段１０３に表示する。
【０１０８】
この場合、両者の差は、２．０Ｇｂｙｔｅｓであるから、録画予約が追加される番組も含め、録画予約されている番組が全て録画されたとしても、録画媒体８の容量は余る。このように、比較結果の表示を確認することによって、ユーザは、遠隔制御装置１００を用いて、録画媒体８の容量が余っているか否かを容易に判断することができる。
【０１０９】
録画媒体８の残り容量が余っていることを確認すれば、ユーザは、録画予約情報の更新を遠隔制御装置１００に指示すればよい。遠隔制御手段Ｎは、ユーザの指示に従い、更新要求を録画装置１に送信する。録画装置１が更新要求を受信すると、更新手段９は、ユーザの指示に従って録画予約を追加する。また、録画制御手段Ｍは、録画番組が追加された番組の容量を引き当て容量に加算し、さらに残り容量を更新する。ここでは、録画番組が追加された番組の容量は、８．１Ｇｂｙｔｅｓであるから、引き当て容量は１０．９Ｇｂｙｔｅｓとなる。加算の結果、引き当て容量が、２．８Ｇｂｙｔｅｓから１０．９Ｇｂｙｔｅｓに変わるため、残り容量は、１０．１Ｇｂｙｔｅｓに２．０Ｇｂｙｔｅｓに更新される。
【０１１０】
録画予約されている番組が実際に録画される度に、録画制御手段Ｍは、録画された番組の容量を引き当て容量から差し引き、録画済み容量に加算する。上述したように、残り容量＝総容量−録画済み容量−引き当て容量の関係があるから、録画予約されている番組が実際に録画されても、残り容量は変わらない。録画予約されていた番組が全て録画された場合には、引き当て量は、０Ｇｂｙｔｅｓになる。
【０１１１】
このように、本実施の形態では、録画装置１が残り容量を遠隔制御装置１００に送信しさえすれば、遠隔制御装置側で、ユーザが容量を確認するための計算を行うことができる。なお、残り容量だけでなく、追加番組を録画するのに必要な容量も、録画装置１が遠隔制御装置１００に送信するようにしてもよい。この場合、比較手段１１０は、録画予約が追加される番組の容量を計算せず、受信された追加番組の容量を、録画予約が追加される番組の容量として用いればよい。追加番組が複数ある場合には、録画制御手段Ｍが、各番組の容量を計算し、比較手段１１０は、ユーザの指示に従い、それらのうちから一つを選択すればよい。
【０１１２】
このように録画予約されていた番組が全て録画された後、２時間の番組の録画予約が追加されるとする。この番組を録画する録画ビットレートが９．２Ｍｂｐｓであれば、残り容量は、２．０Ｇｂｙｔｅｓであるから、残り容量から録画予約が追加される番組の容量が差し引かれた値は−６．１Ｇｂｙｔｅｓとなる。
【０１１３】
この場合にも、比較手段１１０は、残り容量から録画予約が追加される番組の容量が差し引かれた値を比較結果として表示手段１０３に表示する。比較結果として計算結果が表示されるのではなく、比較手段１１０は、録画媒体８の容量が余っているか否かを表す「○」、「×」などの符号を比較結果として表示手段１０３に表示するようにしてもよい。
【０１１４】
この表示を確認すれば、ユーザは、録画媒体８の容量が、録画予約が追加される番組を録画するのに不足していることを容易に知ることができる。
【０１１５】
比較の結果が、容量が不足していることを表す場合に、録画予約が追加される番組の全ての部分を録画するためには、録画媒体の残り容量を増やすか、その番組の録画に消費される容量を抑えればよい。
【０１１６】
このため、番組録画システムは、ビットレート指示手段１１１及び削除番組指示手段１１２を備える。ユーザは、ビットレート指示手段１１１を用いて、録画予約が追加される番組の録画に消費される容量を抑えることにより、消費される容量を残り容量以下にすることができる。例えばビットレート指示手段１１１を用いて録画ビットレートが９．２Ｍｂｐｓから４．０Ｍｂｐｓに変更された場合、録画予約が追加される番組の録画に消費される容量は３．５Ｇｂｙｔｅｓとなる。従って、この録画ビットレートで番組が録画されると、残り容量は−１．５Ｇｂｙｔｅｓになる。これを確認したユーザが、録画ビットレートの設定値を２．０Ｍｂｐｓに下げると、録画予約が追加される番組の録画に消費される容量は、１．８Ｇｂｙｔｅｓになる。従って、この録画ビットレートで番組が録画されると、残り容量は０．２Ｇｂｙｔｅｓになる。このように比較結果の表示を確認することによって、ユーザは、録画予約が追加された番組の全てを録画できるように、録画ビットレートを調整することができる。
【０１１７】
このようにして調整された録画ビットレートは、遠隔制御手段Ｎが、対応番組の録画予約情報を更新する要求を行う際に、この更新要求に含まれる。録画手段５は、ＡＶデコーダの他にＡＶエンコーダも有し、録画制御手段Ｍの制御に従い、更新された録画予約情報に含まれる録画ビットレートで録画を行う。これによって、録画予約が追加された時点で録画媒体８の残り容量が、録画予約が追加された番組を録画するのに不足していても、その番組全てを録画することができる。
【０１１８】
また、ユーザは、削除番組指示手段１１２を用いて、録画済み番組を削除することにより、録画予約が追加される番組の録画に消費される容量を録画媒体に確保することができる。
【０１１９】
この実施の形態では、遠隔制御装置１００には、録画予約情報とともに、ユーザが録画指示した全ての番組情報が録画装置１から送信されており、ユーザが、録画済み番組を削除する場合、例えば図２４に示すように、録画済み番組の録画日時、サイズ、録画ビットレートなどの情報を番組毎に含む録画番組一覧表が表示手段１０３に表示される。
【０１２０】
この録画番組一覧表には、録画媒体８の残り容量も表示されている。この例では、録画媒体８の残り容量は、６．５Ｇｂｙｔｅｓであり、録画予約が追加される番組の録画に消費される容量が８．１Ｇｂｙｔｅｓであれば、容量が不足してしまう。容量が不足する場合、ユーザは、録画済み番組のうちから削除番組指示手段１１２を用いて不要な番組を選択し、その番組を削除すればよい。ここでは、ユーザは、番組ＩＤ「１０３」の番組を選択しており、この選択が決定されると、遠隔制御手段Ｎは、選択された録画済み番組の削除を録画装置１に要求する。録画装置１がこの要求を受けると、録画媒体８から対応番組が削除される。その結果、録画媒体８の残り容量は、８．３Ｇｂｙｔｅｓとなる。従って、録画予約が追加される番組の録画全てを録画することができる。
【０１２１】
なお、録画番組一覧表に含まれる削除対象となる番組は、基本的にユーザ自身が録画指示した全ての番組情報であると説明したが、これは、他人の録画した番組を削除する権利をユーザは通常有しないためである。削除対象となる番組の特定は、各番組の情報に付加されたユーザのＩＤや予め削除が許可された番組に付加される削除許可フラグに基づいて録画制御手段Ｍが行えばよい。例えば遠隔制御装置１００にユーザのＩＤを格納するメモリカードが装着されていれば、録画制御手段Ｍは、遠隔制御装置１００から受信したＩＤに対応する番組のみを録画済み番組から抽出する。
【０１２２】
また、新たに番組の録画予約が行われたことによって録画メディアの容量が不足する場合に、録画制御手段Ｍが、自動的に、既にその録画メディアに録画されている番組を適宜削除することによって、容量の不足を解消することもできる。
【０１２３】
この場合、録画制御手段Ｍは、録画予約された番組の録画時間、この番組を録画する録画ビットレート、及び録画予約された番組が録画される録画メディアの残り容量に基づいて、録画メディアに録画されている番組を削除するか否かを判定する。削除番組の判定は、例えば遠隔制御装置１００からの更新要求を録画装置１が受信した場合に行われる。
【０１２４】
ここで、図１４の例において、ユーザは遠隔制御装置１００の入力インタフェース１０４Ａを用いてドラマの録画予約の設定を「ＯＦＦ」から「ＯＮ」に変更し、ドラマの録画予約を追加したものとする。
【０１２５】
このようにユーザにより録画予約の内容が入力され（図２５、Ｓ２００）、この入力操作を遠隔制御手段Ｎが検知すると、遠隔制御手段Ｎは、赤外線インタフェース１０５又は通信網インタフェース１０６を用いて、録画予約の追加を示すパラメータを含む録画予約を要求するコマンドを録画装置１に送信する。
【０１２６】
録画装置１がこのコマンドを受信すると（図２５、Ｓ３００）、録画制御手段Ｍは、コマンドに含まれるパラメータから、録画予約の追加された番組の録画時間を取得する。さらに、録画制御手段Ｍは、現在の録画ビットレートの設定及びＨＤＤ８Ａの残り容量を取得する。録画制御手段Ｍは、例えば録画予約の追加された番組の録画時間と録画ビットレートの設定に基づいてその番組の録画するために消費される消費容量を計算し、この消費容量とＨＤＤ８Ａの残り容量との大小関係を比較する。比較結果に基づいて、録画制御手段Ｍは、ＨＤＤ８Ａに録画されている番組を削除するか否かを判定する（図２５、Ｓ３０１）。
【０１２７】
消費容量がＨＤＤ８Ａの残り容量より大きい場合、判定結果は、ＨＤＤ８Ａに録画されている番組を削除することを表し、消費容量がＨＤＤ８Ａの残り容量以下である場合、判定結果は、ＨＤＤ８Ａに録画されている番組を削除しないことを表す。
【０１２８】
録画制御手段Ｍは、判定結果が録画メディアに録画されている番組を削除することを表している場合に、録画メディアに録画されている番組のうちから、予め定められた条件に基づいて、削除番組を選択する（図２５、Ｓ３０２）。
【０１２９】
この予め定められた条件は、例えば削除が許可されている番組のうちで録画された時期が最も古い番組であるという条件である。
【０１３０】
削除番組を選択するため、録画制御手段Ｍは、録画済み番組の管理テーブルを参照する。録画済み番組管理テーブルは、例えば図２６に示すように、番組のＩＤ、番組タイトル、チャンネル、録画日時、開始アドレス及び終了アドレスを含む。
【０１３１】
図２６の例では、「野球□□□戦」が最も録画された時期が古い番組であるため、録画制御手段Ｍは、この録画済み番組を削除番組として選択し、開始アドレス及び終了アドレスに基づいて、この録画済み番組がＨＤＤ８Ａに占める占拠容量を計算する。
【０１３２】
録画制御手段Ｍは、通知された占拠容量とＨＤＤ８Ａの残り容量とを加算し、選択された削除番組の削除後の残り容量を計算する。録画制御手段Ｍは、削除後の残り容量と録画予約される番組の消費容量との大小関係を比較し、その比較結果に基づいて削除の判定を行う。録画制御手段Ｍによる上述の手順は、この判定結果が、ＨＤＤ８Ａに録画されている番組を削除しないことを表すまで繰り返される。
【０１３３】
このような手順が繰り返され、削除が許可されている録画済み番組全てが削除番組として選択されても、削除後の残り容量が録画予約される番組の消費容量よりも小さい場合、録画制御手段Ｍは、録画予約される番組の録画が不可能であるという判定を行う。一方、削除後の残り容量が録画予約される番組の消費容量以上になった場合、録画制御手段Ｍは、録画予約される番組の録画は可能であるという判定を行う。
【０１３４】
このように録画予約される番組の録画が可能であるか不可能であるかの判定が行われ（図２５、Ｓ３０３）、録画予約の要求された番組の録画が可能であると判定された場合、録画制御手段Ｍは、管理テーブルＴを更新して（図２５、Ｓ３０４）、その番組の情報を管理テーブルＴに追加し、その情報に対する録画予約の設定をＯＮにする。
【０１３５】
管理テーブルＴが更新された後、又は録画予約の要求された番組の録画が不可能であると判定された場合、録画制御手段Ｍは、赤外線インタフェース１２又は通信網インタフェース１３を用いて、録画予約完了又は録画予約不可の通知を遠隔制御装置１００に送信する。
【０１３６】
選択された削除番組の実際の削除は、録画予約完了の通知がされた後、録画予約された番組の録画開始時刻の直前に行われるのが好ましい。
【０１３７】
これは、ユーザが録画予約を取り消した場合に、既に削除番組が失われている状態となるのを避けるためである。
【０１３８】
録画制御手段Ｍは、録画開始時刻の直前に削除番組を削除すると（図２５、Ｓ３０５）、それに合わせて録画済み番組管理テーブルを更新する（図２５、Ｓ３０６）。
【０１３９】
そして、現在時刻が録画開始時刻になると、録画制御手段Ｍは、管理テーブルＴに格納された番組の情報などに従って、録画予約された番組の録画を開始する（図２５、Ｓ３０７）。
【０１４０】
録画予約された番組の録画が終了すると、録画制御手段Ｍは、録画されたばかりの番組の情報を管理テーブルＴから削除し、それと対応する情報を録画済み番組管理テーブルに追加する（図２５、Ｓ３０８）。
（実施の形態４）
この実施の形態では、図２７に示すように、番組録画システムの遠隔制御装置１００に、ユーザの個人情報を格納する個人情報格納手段１１３が設けられる。遠隔制御手段Ｎは、更新要求の際、個人情報格納手段１１３からユーザを特定する個人情報を読み出し、更新要求にその個人情報を含める。ユーザを特定する個人情報は、携帯電話機の電話番号であってもよいし、ユーザに固有のＩＤであってもよい。
【０１４１】
このような個人情報を含む更新要求を録画装置１が受信すれば、録画装置１は、更新される録画予約情報と個人情報とを関連付けて管理することができ、その個人情報に基づいて、録画された番組やマーク済み画像の再生表示制御を行うことができる。
【０１４２】
再生表示制御については、図２８に示す録画再生システムを用いて説明する。この録画再生システムは、携帯電話機５００と録画再生装置６００より構成される。録画再生システムの携帯電話機５００は番組録画システムの遠隔制御装置１００に対応し、録画再生装置６００は録画装置１に対応する。
【０１４３】
携帯電話機５００は、電話機能部５００Ａとリモコン機能部５００Ｂとから構成される。電話機能部５００Ａにおいて、電話番号記憶部５０１は、携帯電話機５００の電話番号を記憶している。暗証番号記憶部５０２は、携帯電話機５００の暗証番号を記憶している。入力部５０３は、携帯電話機５００を操作するのに用いられる。表示部５０４は、録画再生装置６００を制御するために情報を表示する。また、リモコン機能部５００Ｂにおいて、使用者認定部５１１は、携帯電話機５００を操作する人を特定する。外部機器制御部５１２は、携帯電話機５００から外部機器を制御する。送受信部５１３は、外部機器を制御するためのコマンドを送受信する。
【０１４４】
また、録画再生装置６００において、送受信部６２１は、携帯電話機５００とコマンドを送受信する。操作者特定部６２２は、携帯電話機５００から送られてきた電話番号と暗証番号により携帯電話機５００から録画再生装置６００を操作する人を特定する。番組登録部６２３は、録画操作した人を録画情報管理テーブル６３０に記録する。番組検索部６２４は、再生操作した人が録画した番組を検索する。マーカー登録部６２６は、マーカー登録操作した人をマーカー情報管理テーブル６３１に記録する。マーカー検索部６２７は、マーカー操作した人がマークした映像を検索する。シーン再生部６２８は、マーカー再生操作した人が選択したシーンを再生する。
【０１４５】
また、録画再生装置６００の使用者管理テーブル６２９には、携帯電話機５００を使って操作を行う人の情報が、図２９のフォーマットで予め登録される。
【０１４６】
使用者管理テーブル６２９は、図２９に示すように、ユーザの携帯電話機５００の電話番号、暗証番号、ユーザの名前とＩＤから構成される。
【０１４７】
ユーザは、携帯電話機１００を使って、このような録画再生装置６００に番組を録画させる操作を行う。この場合の手順を図３２に示す。
【０１４８】
ユーザが携帯電話機５００のリモコン切り替えボタンを押下すると（Ｓ５０１）、パスワード入力画面が表示され、ユーザはパスワードを入力する（Ｓ５０２）。入力パスワードが暗証番号記憶部５０２で記憶されている暗証番号と一致するまでパスワード入力は繰り返される（Ｓ５０３）。
【０１４９】
入力パスワードと暗証番号記憶部５０２で記憶している暗証番号が一致した後に、ユーザが携帯電話機５００の録画相当ボタンを押下すると（Ｓ５０４）、携帯電話機５００は、録画再生装置６００に録画開始を命令する送信コマンドを作り（Ｓ５０５）、携帯電話機５００の送受信部５１３から録画再生装置６００にそのコマンドを送信する。
【０１５０】
携帯電話機５００と録画再生装置６００との間で通信される制御コマンドは、例えば図３３に示すように、電話番号、暗証番号、オペレーションコード（ＯＰＣ）及びオペランドＯＰＲを含む。図３８にＯＰＣとＯＰＲの一覧表を示す。録画開始を命令するコマンドの場合、そのコマンドのＯＰＣに１がセットされる。
【０１５１】
録画再生装置６００の送受信部６２１が、携帯電話機５００から送信された送信コマンドを受信すると、操作者特定部６２２は受信されたコマンドの電話番号で図２９の使用者管理テーブル６２９を検索する。検索の結果、使用者管理テーブル６２９の操作者ＩＤの暗証番号が受信した暗証番号と一致すれば、操作者特定部６２２は録画開始命令を番組登録部６２３に通知する。この場合、録画再生装置６００は、図３３の送信コマンド（ＯＰＣ＝９）のオペランドに「０（＝認証ＯＫ）」をセットして、そのコマンドを送受信部６２１から携帯電話機５００に送信する。
【０１５２】
また、使用者管理テーブル６２９の暗証番号と、受信した暗証番号が異なる場合、録画再生装置６００は、図３３の送信コマンド（ＯＰＣ＝９）のオペランドに「１（＝認証ＮＧ）」をセットして、そのコマンドを送信部６２１から携帯電話機５００に送信する。
【０１５３】
番組登録部６２３は録画開始命令を受け取ると、図３０の録画情報管理テーブル６３０に、録画する番組タイトル、チャンネル、録画日時をセットし、図２９の使用者管理テーブル６２９にある特定された使用者ＩＤを操作者ＩＤとしてセットする。さらに、録画開始位置が開始アドレスにセットされ、番組の録画が開始する。
【０１５４】
このようにして番組が録画されると、ユーザは、携帯電話機５００を使って録画再生装置２００に録画済みの番組を再生させることができる。
【０１５５】
録画の場合と同様、ユーザが携帯電話機５００のリモコン切り替えボタンを押下すると（Ｓ５０１）、パスワード入力画面が表示され、ユーザはパスワードを入力する（Ｓ５０２）。このパスワード入力は、入力パスワードが暗証番号記憶部５０２で記憶されている暗証番号と一致するまで繰り返される（Ｓ５０３）。入力パスワードと暗証番号記憶部５０２で記憶している暗証番号が一致した後にユーザが携帯電話機１００の再生相当ボタンを押下すると（Ｓ５０４）、携帯電話機５００は、録画再生装置２００に再生開始を命令する図３２に示す送信コマンド（ＯＰＣ＝２）を作り（Ｓ５０５）、携帯電話機５００の送受信部５１３から録画再生装置６００にそのコマンドを送信する。
【０１５６】
録画再生装置６００の送受信部６２１が、携帯電話機５００から送信された送信コマンドを受信すると、操作者特定部６２２は受信されたコマンドにある電話番号で図２９の使用者管理テーブル６２９を検索する。検索の結果、使用者管理テーブル６２９の操作者ＩＤの暗証番号が受信した暗証番号と一致すれば、操作者特定部６２２は再生命令を番組検索部６２４に通知し、録画再生装置は図３３の送信コマンド（ＯＰＣ＝９）のオペランドに「０（＝認証ＯＫ）」をセットして、そのコマンドを送受信部２１から携帯電話機１００に送信する。
【０１５７】
また、使用者管理テーブル６２９の暗証番号と、受信した暗証番号が異なる場合、録画再生装置は図３３の送信コマンド（ＯＰＣ＝９）のオペランドに「１（＝認証ＮＧ）」をセットして、そのコマンドを送信部６２１から携帯電話機５００に送信する。
【０１５８】
番組検索部６２４は操作者特定部６２２で特定した操作者で図３０の録画情報管理テーブル６３０を検索する。番組検索部６２４は、録画と再生の操作者が一致する番組タイトルを抽出し、特定操作者録画タイトル一覧テーブルを作成する。図３４に示すように、特定操作者録画タイトル一覧テーブルは、番組タイトル、番組ＩＤ、録画日時で構成される。その後、録画再生装置は、図３３に示す送信コマンド（ＯＰＣ＝３）を作成し、送受信部６２１から携帯電話機５００に送信する。携帯電話機５００の送受信部５１３がコマンドを受信すると、携帯電話機５００は、図３５に示すように、オペランドの番組タイトル、録画日付を表示部５０４に表示する。操作者が表示された番組タイトルの中から再生したい番組を選択すると、携帯電話機５００は、選択された番組ＩＤを送受信部５１３から録画再生装置６００に送信する（ＯＰＣ＝４）。録画再生装置６００の送受信部６２１は携帯電話機５００から送信されたコマンドを受信し、再生選択された番組ＩＤを番組再生部６２５に送る。番組再生部６２５は特定操作者録画タイトル一覧テーブル（図３４）から選択されたタイトルの番組を再生する。
【０１５９】
次に、ユーザが携帯電話機５００を使って録画再生装置６００でマーカー登録する場合の動作について説明する。
【０１６０】
録画再生装置６００で番組録画中、または再生中に、ユーザが携帯電話機５００のマーカー登録相当ボタンを押下すると、携帯電話機５００は、録画再生装置６００にマーカー登録を命令する図３３に示す送信コマンド（ＯＰＣ＝５）を作り、そのコマンドを携帯電話機５００の送受信部５１３から録画再生装置６００に送信する。
【０１６１】
録画再生装置６００の送受信部６２１は、携帯電話機５００から送信された送信コマンドを受信し、マーカー登録命令をマーカー登録部６２６に通知する。マーカー登録部６２６は再生中または録画中である番組の該当シーンの情報をマーカー管理テーブルに登録する。
【０１６２】
このマーカー管理テーブルには、図３１に示すように、例えばシーンＩＤ、番組ＩＤ、マーク日時、操作者ＩＤ、開始アドレス、終了アドレスが含まれる。
【０１６３】
このようにしてマーカーが登録されると、ユーザは、携帯電話機５００を使って録画再生装置６００にマーカー再生を指示することができる。
【０１６４】
ユーザが携帯電話機５００のリモコン切り替えボタンを押下すると（Ｓ５０１）、パスワード入力画面が表示され、ユーザはパスワード入力する（Ｓ５０２）。パスワードの入力は、入力パスワードが暗証番号記憶部５０２で記憶されている暗証番号と一致するまで繰り返される（Ｓ５０３）。入力パスワードと暗証記憶部５０２で記憶している暗証番号が一致した後にユーザが携帯電話機５００のマーカー再生相当ボタンを押下すると（Ｓ５０４）、携帯電話機５００は、録画再生装置６００にマーカー再生を命令する図３３に示す送信コマンド（ＯＰＣ＝６）を作り（Ｓ５０５）、そのコマンドを携帯電話機５００の送受信部５１３から録画再生装置６００に送信する。
【０１６５】
録画再生装置６００の送受信部６２１は、携帯電話機５００から送信された送信コマンドを受信すると、操作者特定部６２２は受信コマンドにある電話番号で図２９の使用者管理テーブル６２９を検索する。検索の結果、使用者管理テーブル６２９の操作者ＩＤの暗証番号が受信した暗証番号と一致すれば、マーカー検索部６２７は操作者特定部６２２で特定した操作者で図３１のマーカー情報管理テーブル６３１を検索して、一致するシーンを抽出する。マーカー検索部６２７は、抽出されたシーンの特定操作者マーカー登録一覧テーブルを作成する。特定操作者マーカー登録一覧テーブルには、図３６に示すように、例えばタイトル、チャンネル、録画日時、シーンＩＤが含まれる。その後、録画再生装置６００は、図３３で示す送信コマンド（ＯＰＣ＝７）を作成し、送受信部６２１から携帯電話機５００にそのコマンドを送信する。
【０１６６】
携帯電話機５００の送受信部５１３がコマンドを受信すると、携帯電話機５００は、図３７に示すように、オペランドにある番組タイトル、シーンＩＤ、録画日付を表示部５０４に表示する。操作者が表示されたシーン情報の中から再生したいシーンを選択すると、携帯電話機５００は、選択されたシーンＩＤを送受信部５１３から録画再生装置に送信する（ＯＰＣ＝８）。録画再生装置６００の送受信部６２１は携帯電話機５００から送信されたコマンドを受信し、再生選択されたシーンＩＤをシーン再生部６２８に送る。シーン再生部６２８は特定操作者マーカー登録一覧テーブル（図３６）から選択されたシーンを再生する。
【０１６７】
このように、録画再生システムでは、操作者が録画又は登録を行った番組又はシーンのみが一覧表示される。この実施の形態４における番組録画システムでも、同様の表示制御が行われる。これによって録画又は登録された番組又はシーンが多数ある場合でも、番組又はシーンの選択が容易になり、ユーザの利便性が向上する。
【０１６８】
また、録画再生装置が複数人で共用される場合でも、特定操作者録画タイトル一覧テーブルには、操作者個人の録画した番組しか表示されないから、共用者間でのプライバシーなどが保護される。
【０１６９】
なお、この実施の形態における録画再生システムは、その機能に対応するプログラムとＣＰＵやメモリなどのハードウェアとを用いて実現することができる。例えば携帯電話機５００のＣＰＵが、録画相当ボタンの押下を検出すると、プログラムに従い、使用者ＩＤを送受信部５１３に送信させる。録画再生装置６００の送受信部６２１が使用者ＩＤを受信すると、録画再生装置６００のＣＰＵは、プログラムに従い、使用者ＩＤを操作者ＩＤとして録画情報管理テーブル６３０に登録する。また、携帯電話機５００のＣＰＵは、再生相当ボタンの押下を検出したときも、使用者ＩＤを送受信部５１３に送信させる。録画再生装置６００の送受信部６２１が使用者ＩＤを受信すると、録画再生装置６００のＣＰＵは、その使用者ＩＤで録画情報管理テーブル６３０を検索し、該当番組を抽出する。録画再生装置６００が録画済み番組を再生する場合、録画再生装置６００は、認識した再生操作者が録画した番組を抽出し、その番組を表示する。
（実施の形態５）
実施の形態４では、電話番号及び暗証番号を用いて操作者の認証が行われたが、これに限られるものではない。例えば第三世代の携帯電話機では、ＵＩＭ（Ｕｓｅｒ  Ｉｄｅｎｔｉｔｙ  Ｍｏｄｕｌｅ）と呼ばれるＣＰＵを内蔵したＩＣカードが用いられる。ＵＩＭは、通常携帯電話機の端末（Ｍｏｂｉｌｅ  Ｅｑｕｉｐｍｅｎｔ）に取り外し可能に装着され、加入者の識別情報や電話番号などを格納している。端末を携帯電話機として利用するためには、端末にＵＩＭが装着されている必要がある。このため、ＵＩＭに格納された加入者の識別情報は、利用者を特定するための利用者特定情報として操作者の認証に用いることができる。また、著作権保護機能付きのメモリカードであるＳＤ（Ｓｅｃｕｒｅ  Ｄｉｇｉｔａｌ）メモリカードも、ＣＰＵを内蔵しており、ソフトウェアやハードウェアを拡張することによって、ＵＩＭのようなＩＣカードと同等の機能を実現することができる。このため、ＵＩＭの代わりに、拡張されたＳＤメモリカードなども操作者の認証に用いることができる。
【０１７０】
このようなＩＣカードに格納された加入者の識別情報を操作者の認証に用いる場合、番組録画システムの遠隔制御装置１００が個人情報格納部を備える代わりに、遠隔制御装置１００にＩＣカードが装着されることになる。遠隔制御手段Ｎは、このＩＣカードから個人情報を読み出して、更新要求に含める。
【０１７１】
また、この場合の録画再生システムは、図３９に示すように、図２８に示した構成の他、携帯電話機５００にＩＣカード機能部５００Ｃを備える。
【０１７２】
ＩＣカード機能部５００Ｃは、個人情報管理手段５１５を備える。個人情報管理手段５１５は、ＩＣカード機能部５００Ｃに取り外し可能に装着されたＩＣカード５１４に対する読み出し及び書き込みの制御を行い、ＩＣカード５１４に格納された個人情報を管理する。
【０１７３】
また、録画再生装置６００の使用者管理テーブル６２９には、図４０に示すように、操作者ＩＤ、操作者名、ＩＣカード５１４に格納されている加入者の識別情報及びこれに対応するパスワードが格納される。
【０１７４】
加入者の識別情報やパスワードは、携帯電話機５００が録画再生装置６００の操作に最初に用いられるときに、携帯電話機５００から録画再生装置６００に送信され、使用者管理テーブル６２９に格納される。
【０１７５】
パスワードは、加入者と携帯電話機５００との間の認証で用いられるものである。パスワードは、加入者が秘匿している文字、記号、数字などの符号である。このパスワードの代わりに、指紋や声紋などのバイオメトリクス情報を、加入者と携帯電話機５００との間の認証に用いることもできる。
【０１７６】
ユーザは、録画再生装置６００の操作に携帯電話機５００を最初に用いる場合に、携帯電話機５００の入力部５０３を用いて、パスワードを入力する。このパスワードは、入力部５０３から個人情報管理手段５１５に供給される。個人情報管理手段５１５には、予め正当なパスワードが登録されている。個人情報管理手段５１５は、登録されたパスワードと入力されたパスワードが一致した場合にのみ、ＩＣカード５１４からの個人情報の読み出しを許可する。
【０１７７】
正当なパスワードが入力されることによってＩＣカード５１４から加入者の識別情報が読み出されると、携帯電話機５００は、これらを登録するコマンドを作成し、送受信部５１３を用いて録画再生装置６００にそのコマンドを送信する。
【０１７８】
この実施の形態において、携帯電話機５００と録画再生装置６００との間で通信される制御コマンドは、例えば図４１に示すように、加入者識別情報、パスワード、ＯＰＣ、ＯＰＲを含む。基本的にＯＰＣ及びＯＰＲは、図３８で示したものと同様であるが、加入者識別情報及びパスワードを登録するコマンドのＯＰＣには、例えば「０」がセットされるものとする。
【０１７９】
録画再生装置６００の送受信部６２１が、携帯電話機５００から送信された送信コマンドを受信すると、操作者特定部６２２は受信されたコマンドに含まれる加入者識別情報及びパスワードを図４０の使用者管理テーブル６２９に格納する。
【０１８０】
このようにして、使用者管理テーブル６２９に加入者の識別情報とパスワードとが登録されると、ユーザは、ＩＣカード５１４が装着された携帯電話機５００を用いて録画再生装置６００の操作を行うことができる。
【０１８１】
ユーザが携帯電話機５００のリモコン切り替えボタンを押下すると、パスワード入力画面が表示部５０４に表示され、ユーザはパスワードを入力する。入力パスワードが個人情報管理手段５１５に登録されているパスワードと一致した後に、ユーザが携帯電話機５００の録画相当ボタンを押下すると、個人情報管理手段５１５は、ＩＣカード５１４から加入者の識別情報を読み出す。ＩＣカード５１４から加入者の識別情報が読み出されると、携帯電話機５００は、ＯＰＣに「２」がセットされた録画開始を命令するコマンドを作成し、携帯電話機５００の送受信部５１３から録画再生装置６００にそのコマンドを送信する。
【０１８２】
録画再生装置６００の送受信部６２１が、携帯電話機５００から送信された送信コマンドを受信すると、操作者特定部６２２は受信されたコマンドにある加入者識別情報で図４０の使用者管理テーブル６２９を検索する。検索の結果、使用者管理テーブル６２９の操作者ＩＤのパスワードが受信したパスワードと一致すれば、操作者特定部６２２は録画開始命令を番組登録部６２３に通知する。この場合、録画再生装置６００は、図４１の送信コマンド（ＯＰＣ＝９）のオペランドに「０（＝認証ＯＫ）」をセットして、そのコマンドを送受信部６２１から携帯電話機５００に送信する。
【０１８３】
また、使用者管理テーブル６２９のパスワードと、受信したパスワードが異なる場合、録画再生装置６００は、図４１の送信コマンド（ＯＰＣ＝９）のオペランドに「１（＝認証ＮＧ）」をセットして、そのコマンドを送受信部６２１から携帯電話機５００に送信する。
【０１８４】
番組登録部６２３は録画開始命令を受け取ると、図３０の録画情報管理テーブル３０に、録画する番組タイトル、チャンネル、録画日時をセットし、図４０の使用者管理テーブル２９にある特定された使用者ＩＤを操作者ＩＤとしてセットする。さらに、録画開始位置が開始アドレスにセットされ、番組の録画が開始する。
【０１８５】
このようにして番組が録画されると、ユーザは、ＩＣカード５１４が装着された携帯電話機５００を使って録画再生装置２００に録画済みの番組を再生させることができる。
【０１８６】
録画の場合と同様、ユーザが携帯電話機５００のリモコン切り替えボタンを押下すると、パスワード入力画面が表示部５０４に表示され、ユーザはパスワードを入力する。入力パスワードが個人情報管理手段５１５に登録されているパスワードと一致した後に、ユーザが携帯電話機５００の再生相当ボタンを押下すると、携帯電話機５００は、録画再生装置２００に再生を命令する図４１に示す送信コマンド（ＯＰＣ＝２）を作り、携帯電話機５００の送受信部５１３から録画再生装置６００にそのコマンドを送信する。
【０１８７】
録画再生装置６００の送受信部６２１が、携帯電話機５００から送信された送信コマンドを受信すると、操作者特定部６２２は受信されたコマンドにある加入者識別情報で図４０の使用者管理テーブル６２９を検索する。検索の結果、使用者管理テーブル６２９の操作者ＩＤのパスワードが受信したパスワードと一致すれば、操作者特定部６２２は再生命令を番組検索部６２４に通知し、録画再生装置は図４１の送信コマンド（ＯＰＣ＝９）のオペランドに「０（＝認証ＯＫ）」をセットして、そのコマンドを送受信部２１から携帯電話機１００に送信する。
【０１８８】
また、使用者管理テーブル６２９のパスワードと、受信したパスワードが異なる場合、録画再生装置は、図４１の送信コマンド（ＯＰＣ＝９）のオペランドに「１（＝認証ＮＧ）」をセットして、そのコマンドを送信部６２１から携帯電話機５００に送信する。
【０１８９】
番組検索部６２４は操作者特定部６２２で特定した操作者で図３０の録画情報管理テーブル６３０を検索する。番組検索部６２４は、録画と再生の操作者が一致する番組タイトルを抽出し、特定操作者録画タイトル一覧テーブルを作成する。その後、録画再生装置は、図４１に示す送信コマンド（ＯＰＣ＝３）を作成し、そのコマンドを送受信部６２１から携帯電話機５００に送信する。携帯電話機５００の送受信部５１３がコマンドを受信すると、携帯電話機５００は、図３５に示すように、オペランドの番組タイトル、録画日付を表示部５０４に表示する。操作者が表示された番組タイトルの中から再生したい番組を選択すると、携帯電話機５００は、選択された番組ＩＤを送受信部５１３から録画再生装置６００に送信する（ＯＰＣ＝４）。録画再生装置６００の送受信部２１は携帯電話機５００から送信されたコマンドを受信し、再生選択された番組ＩＤを番組再生部６２５に送る。番組再生部６２５は特定操作者録画タイトル一覧テーブル（図３４）から選択されたタイトルの番組を再生する。
【０１９０】
以上のように、この実施の形態における録画再生システムでは、ＩＣカードに格納された加入者の識別情報を用いて再生操作者が特定され、再生操作者が録画を行った番組のみが一覧表示される。これによって録画された番組が多数ある場合でも、番組の選択が容易になり、ユーザの利便性が向上する。なお、ＩＣカード５１４が装着された携帯電話機５００を使って録画再生装置６００でマーカー登録することもできる。
【０１９１】
なお、外部端末として、ＩＣカードが取り外し可能に装着される携帯電話機が用いられるような場合には、このＩＣカードの不揮発性メモリに、ユーザ自身が録画又は録画予約した操作に伴う設定情報を記憶しておくようにしてもよい。
【０１９２】
この設定情報には、番組のタイトル、チャンネル、録画日時、録画モード（録画ビットレート）、録画時間、マーキング情報、マークされたシーンのサムネイル情報などが含まれる。
【０１９３】
これによって、ユーザは、自身が行った録画操作に伴う設定をＩＣカードだけを使って管理することができる。
（実施の形態６）
ところで、上述のようなＣＰＵを内蔵したカードの不揮発性メモリには、加入者の識別情報や電話番号だけでなく、住所、生年月日、クレジットカードのカード情報やその他の個人情報が格納されることが多い。
【０１９４】
携帯電話機５００が録画再生装置６００に対して操作を指示する命令にＩＣカード５１４に格納された個人情報も付加すれば、録画再生装置６００は、携帯電話機５００から受信した個人情報に基づいて番組の録画及び視聴に関する制御を行うことができる。
【０１９５】
例えば実施の形態５における録画再生システムでは、一覧表示される録画済み番組は、基本的に操作者自身が録画を行った番組に限られるけれども、操作者がどの番組を録画するかは制限されていない。
【０１９６】
未成年者が成人向け番組を録画した場合でも、その番組は特定操作者録画タイトル一覧テーブル一覧で表示されるから、未成年者はその番組を視聴することができる。
【０１９７】
このような録画済み番組の再生を制限するのに、個人情報の生年月日が利用される。この実施の形態６における録画再生システムでは、図４２に示すように、番組判定部６３２が設けられており、この番組判定部６３２が、生年月日に基づき特定された操作者が未成年であるか否かを判定する。
【０１９８】
また、録画情報管理テーブル６３０には、例えば図４３に示すように、録画された番組の番組ＩＤ、番組タイトル、チャンネル、録画日時、操作者ＩＤ、開始アドレス及び終了アドレスだけでなく、録画された各番組の区分が含まれる。録画された各番組の区分は、例えばＥＩＴのその番組に関する情報に含まれるジャンルである。録画の際には、この番組の区分も番組ＩＤに録画情報管理テーブル３０に格納される。番組判定部６３２は、特定された操作者が未成年であると判定された場合に、番組検索部６２４により検索された番組のうち、未成年者に許可されていない区分に属する番組を判定し、その番組を番組検索部６２４に通知する。
【０１９９】
この実施の形態６における録画再生システムを用いて録画済みの番組を再生するために、ユーザが携帯電話機５００のリモコン切替ボタンを押下すると、パスワード入力画面が表示部５０４に表示される。ユーザが入力したパスワードが個人情報管理手段５１５に登録されているパスワードと一致した場合、個人情報管理手段５１５は、ＩＣカード５１４から加入者の識別情報と生年月日を読み出す。この後に、ユーザが携帯電話機５００の再生相当ボタンを押下すると、携帯電話機５００は、録画再生装置２００に再生を命令する図４１に示す送信コマンド（ＯＰＣ＝２）を作成する。図３８に示す一覧表では、「再生」を命令するコマンドには、オペランドはなかったが、この場合、そのコマンドのオペランドには、生年月日がセットされる。携帯電話機５００は、このコマンドを携帯電話機５００の送受信部５１３から録画再生装置６００に送信する。
【０２００】
録画再生装置６００の送受信部６２１が、携帯電話機５００から送信された送信コマンドを受信すると、操作者特定部６２２は受信されたコマンドにある加入者識別情報で図４０の使用者管理テーブル６２９を検索する。検索の結果、使用者管理テーブル６２９の操作者ＩＤのパスワードが受信したパスワードと一致すれば、操作者特定部６２２は再生命令を番組検索部６２４に通知し、録画再生装置は図４１の送信コマンド（ＯＰＣ＝９）のオペランドに「０（＝認証ＯＫ）」をセットして、そのコマンドを送受信部２１から携帯電話機１００に送信する。
【０２０１】
また、使用者管理テーブル６２９のパスワードと、受信したパスワードが異なる場合、録画再生装置は、図４１の送信コマンド（ＯＰＣ＝９）のオペランドに「１（＝認証ＮＧ）」をセットして、そのコマンドを送信部６２１から携帯電話機５００に送信する。
【０２０２】
番組検索部６２４は操作者特定部６２２で特定した操作者で図４３の録画情報管理テーブル６３０を検索する。また、番組判定部６３２は、携帯電話機５００から受信されたコマンドにある操作者の生年月日に基づき、特定された操作者が未成年であるか否かを判定する。特定された操作者が未成年でないと判定された場合、その判定結果が番組判定部６３２から番組検索部６２４に通知される。
【０２０３】
この場合、番組検索部６２４は、操作者の一致する全ての番組タイトルを抽出し、特定操作者録画タイトル一覧テーブルを作成する。
【０２０４】
一方、特定された操作者が未成年であると判定された場合、番組判定部６３２は、番組検索部６２４により検索された番組のうち、未成年者に許可されていない区分に属する不許可番組を判定し、その番組を番組検索部６２４に通知する。番組検索部６２４は、録画と再生の操作者が一致する番組のうち不許可番組を除く番組を抽出して、特定操作者番組タイトル一覧テーブルを作成する。
【０２０５】
その後、録画再生装置６００は、図４１に示す送信コマンド（ＯＰＣ＝３）を作成し、そのコマンドを送受信部６２１から携帯電話機５００に送信する。携帯電話機５００の送受信部５１３がコマンドを受信すると、携帯電話機５００は、図３５に示すように、オペランドの番組タイトル、録画日付を表示部５０４に表示する。操作者が表示された番組タイトルの中から再生したい番組を選択すると、携帯電話機５００は、選択された番組ＩＤを送受信部５１３から録画再生装置６００に送信する（ＯＰＣ＝４）。録画再生装置６００の送受信部２１は携帯電話機５００から送信されたコマンドを受信し、再生選択された番組ＩＤを番組再生部６２５に送る。番組再生部６２５は特定操作者録画タイトル一覧テーブル（図３４）から選択されたタイトルの番組を再生する。
【０２０６】
このような録画再生システムでは、未成年者である操作者が、未成年者に許可されていない番組を録画したとしても、操作者が再生したい番組の選択肢のうちから、未成年者に許可されていない番組が排除されるため、その番組を再生することはできない。このため、そのような番組の視聴を制限することができる。
【０２０７】
なお、上述の説明では、録画済みの番組の再生による視聴が制限されたが、これに限られるものではない。録画再生装置６００は、操作者が未成年者である場合には、番組の録画自体を制限するようにしてもよい。
【０２０８】
また、例えば録画再生装置６００にＥＰＧ情報の表示が要求された場合に、録画再生装置６００は、ＥＰＧ情報を表示する番組を選別する制御を行うようにしてもよい。
【０２０９】
この場合、操作者が未成年者であると判定されると、録画再生装置６００は、ＥＰＧ情報のうちから、未成年者に許可されていない番組を選別し、選別された番組の情報を表示しない。これによって、操作者が未成年者である場合には、ＥＰＧ情報を用いて視聴する番組の選択が制限される。
【０２１０】
また、ＩＣカード５１４に格納された個人情報を用いないで、視聴の制限を行うことも可能である。例えば使用者管理テーブル６２９の各操作者ＩＤに、視聴制限の有無を表すフラグを対応付ければよい。この場合、再生操作者の操作者ＩＤに対応付けられているフラグが、視聴制限が有ることを表せば、番組判定部６３２は、番組判定部６２４により検索された番組のうち、特定の区分に属する番組を判定し、その番組を番組検索部６２４に通知する。番組検索部６２４は、録画と再生の操作者が一致する番組のうち通知された番組を除く番組を抽出して、特定操作者タイトル一覧テーブルを作成する。
（実施の形態７）
実施の形態２における追加番組選択手段１７が、録画予約情報だけでなく録画済み番組情報にも基づいて、追加番組のうちから番組を選択する場合、録画予約された番組に基づいて番組が選択される場合と較べて、通常選択される番組の数が増える。さらに、例えば録画装置１が家族で共用されている場合には、家族の他の者が録画又は録画予約を行った番組に基づいて、番組が選択される可能性がある。
【０２１１】
このため、実施の形態４及び５における録画再生システムのように、操作者を特定し、それに基づいて番組の選択が行われるようにしてもよい。
【０２１２】
そこで、この実施の形態７における録画システムでは、図４４に示すように、録画装置１は、録画又は録画予約の操作を行った操作者を特定する情報の履歴を管理する履歴管理手段１８を備える。
【０２１３】
また、遠隔制御装置１００に、加入者の識別情報などを格納するＩＣカード１１０が取り外し可能に装着される携帯電話機が用いられる。
【０２１４】
例えば録画装置１を共用する家族の各人が異なる携帯電話機を所有しており、それぞれの携帯電話機を遠隔制御装置１００として利用しているものとする。この場合、各遠隔制御装置１００に装着されたＩＣカード１１４に格納された加入者識別情報が、操作者を特定する情報として用いられることになる。
【０２１５】
この録画システムにおいて、履歴管理手段１８は、図４０に示したのと同様の使用者管理テーブル、及び録画操作者管理テーブルを管理する。録画操作者管理テーブルは、図４５に示すように、録画された番組のＩＤと、その番組を録画する操作を行った操作者のＩＤを対応付けて格納している。この録画された番組のＩＤは、録画済み番組のＩＤに対応しており、この番組のＩＤを介して、操作者のＩＤと録画済み番組の情報が対応付けられる。また、管理テーブルＴにも、図４６に示すように、番組の識別ＩＤ毎に操作者ＩＤが格納されている。録画操作者管理テーブルには、録画の操作を行った者の操作者ＩＤが格納されるのに対し、管理テーブルには、録画予約の操作を行った者の操作者ＩＤが格納される。
【０２１６】
そして、追加番組選択手段１７は、履歴管理手段１８が管理する履歴にも基づいて、追加番組のうちから番組を選択する。
【０２１７】
追加番組選択手段１７は、新たに番組が追加されたことが認識されると、例えば録画予約がＯＮになっている番組に対応付けられた操作者ＩＤを管理テーブルＴから取得する。図４６の例では、録画予約がＯＮになっている番組は、野球放送だけであり、この番組に対応付けられている操作者ＩＤは「１」である。追加番組選択手段１７は、録画予約されている番組に対する操作者ＩＤを取得すると、履歴管理手段１８にその操作者ＩＤを通知する。履歴管理手段１８は、操作者ＩＤが通知されると、通知された操作者ＩＤと対応する番組ＩＤを録画操作者管理テーブルから取得する。図４５の例では、取得される番組ＩＤは、「１」及び「２」である。取得された番組ＩＤは履歴管理手段１８から追加番組選択手段１７に通知される。番組ＩＤが通知されると、追加番組選択手段１７は、この番組ＩＤで識別される録画済み番組情報だけを取得する。録画済み番組情報として、例えば図４３に示す録画情報管理テーブルに相当する情報が格納されていたとすると、追加選択番組手段１７が取得する番組の情報は、「ニュース○○○」と「△△ニュース」の情報のみである。他の操作者が録画した「野球□□□戦」の情報を、追加選択番組手段１７は取得しない。
【０２１８】
その結果、追加番組選択手段１７は、操作者が同じ３つの番組、すなわち録画予約されている野球放送、「ニュース○○○」及び「△△ニュース」の情報のみに基づいて追加番組から番組を選択することになる。
【０２１９】
これによって、録画装置１が複数人で共用される場合でも、選択された番組に操作者個人の関心が反映される。
【０２２０】
また、実施の形態３で説明したように、録画予約が追加される番組を録画する容量を録画メディアに確保するために、操作者は、録画メディアに録画された録画番組を削除することができる。
【０２２１】
録画装置１が複数人で共用される場合、録画番組の一覧表には、操作者自身が録画する操作を行った番組だけでなく、他の操作者が録画する操作を行った番組も含まれる。
【０２２２】
操作者が録画する操作を行っていない番組を削除してよいか否かを、その操作者が判断することは難しい。このため、その操作者自身が録画する操作を録画番組の一覧表から探すことになると、操作者が削除する番組を選択するのに手間がかかる。また、操作者が録画する操作を行っていない番組を削除するつもりがなくても、その番組が録画番組の一覧表に含まれていると、その操作者は、他の操作者が録画する操作を行った番組を誤って削除してしまうかもしれない。
【０２２３】
そこで、遠隔制御手段Ｎは、モニタ１０３Ａに、ＨＤＤ８Ａに録画された番組のうち、携帯電話機の操作者がＨＤＤ８Ａに録画する操作を行った番組のみを表示するようにしてもよい。
【０２２４】
この場合、録画装置１が録画済み番組の情報を要求するコマンドを携帯電話機から受信すると、録画制御手段Ｍは、ＨＤＤ８Ａに録画された番組に対応する操作者のＩＤを取得して、各録画済み番組の情報に操作者のＩＤを付加し、携帯電話機に送信する。操作者のＩＤの付加された録画済み番組の情報を携帯電話機が受信すると、遠隔制御手段Ｎは、ＩＣカード１１４からＩＤを取得し、受信した情報のうちから、ＩＤの一致する録画済み番組の情報を抽出する。遠隔制御手段Ｎは、抽出した録画済み番組の情報のみから録画番組の一覧表を作成し、その録画番組の一覧表をモニタ１０３Ａ上に表示する。
【０２２５】
これによって、操作者は、削除する番組を簡単に選択することができ、他人が録画した番組を誤って削除する心配もない。
【０２２６】
なお、遠隔制御手段Ｎが、追加番組選択手段１７として動作する場合には、録画装置１が追加番組の通知を行うだけでなく、各録画済み番組の情報に操作者のＩＤを付加した情報を遠隔制御装置１００に送信すれば、この実施の形態における追加番組選択手段１７と同様に、遠隔制御手段Ｎが、操作者のＩＤに基づいて追加番組のうちから番組を選択することもできる。
【０２２７】
また、遠隔制御手段Ｎは、ＨＤＤ８Ａに録画された番組のうち予め削除が許可された番組のみをモニタ１０３Ａに表示するようにしてもよい。
【０２２８】
この場合、ユーザは、入力インタフェース１０４Ａを用いて、予め録画番組の一覧表から、削除を許可する番組を選択する。ユーザが番組を選択すると、遠隔制御手段Ｍは、選択された番組の削除許可を指示するコマンドを作成し、そのコマンドを録画装置１に送信する。録画装置１がそのコマンドを受信すると、録画制御手段Ｍは、削除が許可された番組の録画済み情報に、削除が許可されていることを表すフラグを加える。
【０２２９】
録画済み情報を携帯電話機が受信すると、遠隔制御手段Ｎは、フラグの加えられた録画済み情報のみから録画番組の一覧表を作成し、その録画番組の一覧表をモニタ１０３Ａ上に表示する。
【０２３０】
この場合にも、操作者は、削除する番組を簡単に選択することができ、録画された番組を不用意に削除する恐れを回避することができる。
（実施の形態８）
上述の実施の形態３において、録画制御手段Ｍは、削除が許可されている番組のうちで録画された時期が最も古い番組であるという条件に基づいて、削除番組を選択したが、これに限られるものではない。
【０２３１】
例えば録画媒体に番組を録画する操作を行った者と録画予約の操作を行った者とが対応する番組であるという条件や、単に削除が許可された削除許可番組であるという条件に基づいて、録画制御手段Ｍが削除番組を選択するようにしてもよい。
【０２３２】
この実施の形態８では、録画予約の操作を行った操作者が録画の操作を行った番組の削除レベルに従うという条件に基づいて削除番組の選択が行われる。
【０２３３】
この実施の形態８における録画システムは、図４４に示すように、遠隔制御装置１００として、ＩＣカード１１０が取り外し可能に装着される携帯電話機が用いられている。
【０２３４】
ここでは、便宜上、遠隔制御装置１００として用いられている携帯電話機は２つあり、一方の携帯電話機に装着されたＩＣカード１１０には、「０」というユーザＩＤが、他方の携帯電話機に装着されたＩＣカード１１０には、「１」というユーザＩＤが格納されているものとする。
【０２３５】
削除レベルは、これらの携帯電話機をそれぞれ用いる二人のユーザによって設定されるか、録画装置１によりデフォルトの値が設定される。
【０２３６】
削除レベルは、例えば削除対象レベル、削除許可レベル及び削除不可レベルの３段階のレベルからなる。削除対象レベルは、録画された番組を録画媒体から削除することを表すレベルであり、削除許可レベルは、録画制御手段Ｍが録画された番組を削除番組として選択してもよいことを表すレベルであり、削除不可レベルは、録画制御手段Ｍが録画された番組を削除番組として選択することが禁止されていることを表すレベルである。
【０２３７】
この実施の形態８では、例えば図４７に示すような録画済み番組管理テーブルが用意され、この録画済み番組管理テーブルは、各番組に、その番組の録画を行った操作者のユーザＩＤ、その番組の録画時間、及び削除レベルをそれぞれ対応付ける。
【０２３８】
削除レベルの「０」という値は、削除対象レベルを示し、「２」という値は、削除不可レベルを示す。また、図４７には示されていないが、「１」という値は、削除許可レベルを示す。
【０２３９】
また、図４７におけるユーザＩＤの「１００」という値は、この値に対応する録画時間の値が、録画媒体に番組が録画可能な時間であることを表す。この例では、録画媒体に録画可能な残り時間は、２．５時間である。
【０２４０】
さらに、管理テーブルＴは、図４８に示すように、各番組に、その番組に対する録画予約の操作を行った操作者のユーザＩＤを対応付けている。
【０２４１】
録画済み番組管理テーブルや管理テーブルＴに含まれるユーザＩＤは、各ユーザが録画又は録画予約の操作を自身の携帯電話機を用いて行ったときに、ＩＣカード１１４から取り出され、携帯電話機から録画装置１に送信されたものである。
【０２４２】
このような録画装置１に対して、ユーザが携帯電話機（遠隔制御装置１００）を用いて録画予約を行う場合の手順は、図２５に従う。
【０２４３】
例えば手順Ｓ２００において、「１」という値のユーザＩＤを格納するＩＣカードが装着された携帯電話機を用いて、ユーザが、図５０に示すように、録画予約される番組を追加する場合、携帯電話機は、ユーザＩＤ及び追加内容を表すパラメータを含む録画予約を要求するコマンドを録画装置１に送信する。
【０２４４】
録画装置１がこのコマンドを受信すると、録画制御手段Ｍは、コマンドに含まれるパラメータから、録画予約の追加された番組の録画時間を取得する（図２５、Ｓ３００）。図５０の例では、録画予約の追加された番組の録画時間は４時間である。また、録画制御手段Ｍは、「１００」という値のユーザＩＤに対応する録画時間、すなわち録画媒体の録画可能時間を管理テーブルＴから取得する。図４８の例では、録画可能時間は２．５時間である。録画制御手段Ｍは、録画予約の追加された番組の録画時間と録画可能時間とに基づいて、録画媒体に録画されている番組を削除するか否かを判定する（図２５、Ｓ３０１）。
【０２４５】
この例では、録画予約の追加された番組の録画時間が録画可能時間よりも長いため、録画制御手段Ｍは、録画メディアに録画されている番組を削除することを決定する。録画制御手段Ｍは、削除することが決定された場合に、コマンドに含まれるパラメータから、ユーザＩＤを取得し、そのユーザＩＤに対応付けられた録画済みの番組から削除番組を選択する（図２５、Ｓ３０２）。この選択のために、録画制御手段Ｍは、録画済み番組管理テーブルを参照するが、図４８の例では、「１」という値のユーザＩＤと、「１」という値の削除レベルとに対応付けられた番組はない。この場合、削除可能な録画済みの番組はない。
【０２４６】
このため、録画制御手段Ｍは、録画済み番組管理テーブルを参照し、「０」又は「１」という値の削除レベルに対応付けられた番組の録画時間を取得し、その条件を満たす番組が複数ある場合には、それらの番組の録画時間を合計する。録画制御手段Ｍは、録画時間又はその合計値と録画可能時間とを加算した加算値と録画予約される番組の録画時間とを比較し、その比較結果に基づいて、録画予約される番組の録画が可能であるか否かを判定する（図２５、Ｓ３０３）。
【０２４７】
加算値が録画予約される番組の録画時間以上であれば、録画予約される番組の録画が可能であると判定され、録画制御手段Ｍは、図４９に示すように、管理テーブルＴを更新する（図２５、Ｓ３０４）。
【０２４８】
一方、加算値が録画予約される番組の録画時間より小さい場合には、録画制御手段Ｍは、録画予約ができないことを表す録画予約不可の通知を、携帯電話機に通知する。
【０２４９】
このように録画予約ができないことが通知された場合、録画予約しようとしていた番組を録画媒体に録画するには、ユーザが削除レベルの設定を変更する必要がある。
【０２５０】
この場合、ユーザが、録画装置１の録画済み番組管理テーブルの内容を表示させる指示を携帯電話機に行うと（図５０、Ｓ４００）、携帯電話機は、ＩＣカード１１４が格納するユーザＩＤを含み、表示内容を要求するコマンドを録画装置１に送信する。このコマンドを録画装置１が受信すると（図５０、Ｓ４５０）、録画制御手段Ｍは、録画済み番組管理テーブルの録画済み番組の情報を抽出する（図５０、Ｓ４５１）。このとき、録画制御手段Ｍは、コマンドに含まれるユーザＩＤに対応する番組の情報のみを抽出してもよい。録画済み番組管理テーブルから情報が抽出されると、録画装置１は、抽出された録画済み番組の情報を携帯電話機に送信する（図５０、Ｓ４５２）。携帯電話機が録画済み番組の情報を受信すると、図５１に示すような削除レベル設定画面が、携帯電話機のモニタに表示される。
【０２５１】
ユーザが、この削除レベル設定画面を参照し、自身が録画の操作を行った番組のうち削除する番組を決めると、その番組の削除レベルの値を「２」から「０」に変更する入力を携帯電話機に対して行う（図５０、Ｓ４０１）。ここでは、例えば図５２に示すように、削除レベル設定画面上で番組名「３」の削除レベルが「０」に変更されたものとする。この入力内容がユーザの操作によって決定されると、携帯電話機は、変更内容を表すパラメータを含む削除レベルの設定変更を要求するコマンドを録画装置１に送信する。
【０２５２】
録画装置１がこのコマンドを受信すると（図５０、Ｓ４５３）、録画制御手段Ｍは、コマンドに含まれるパラメータが表す変更内容に基づいて、録画済み番組管理テーブルを更新する（図５０、Ｓ４５４）。この後、録画装置１は、設定が完了したことを携帯電話機に通知する（図５０、Ｓ４５５）。
【０２５３】
この結果、図５３に示すように、録画済み番組管理テーブルの削除レベルが変更される。「３」という値の番組ＩＤに対応する削除レベルの値は、「２」から「０」に変更されている。
【０２５４】
このように、その番組に対する削除レベルも削除対象レベルに設定されることによって、「０」という値の削除レベルに対応する録画時間の合計値は、２時間＋２時間＝４時間となり、この値と録画可能時間の加算値は、６．５時間となる。この加算値は、録画予約される番組の録画時間よりも大きいため、この状態では、録画制御手段Ｍは、録画予約される番組の録画が可能であると判定する。
【０２５５】
【発明の効果】
以上説明した通り、本発明によれば、遠隔制御装置の表示手段に表示された表示情報から録画予約情報が放送スケジュール情報と相違する内容を確認することができるので、ユーザは、容易且つ確実に放送スケジュールの変更に気づくことができ、その変更に合わせて録画予約情報を更新することもできる。
【０２５６】
表示情報が、録画予約された番組の中で放送スケジュールが変更された番組を識別可能な状態で表示するための情報を含む場合、ユーザは、放送スケジュールが変更された番組を即座に特定することができ、録画予約された番組全てについて録画予約情報を確認する必要がなくなる。
【０２５７】
また、録画装置が録画済み番組情報及び録画予約情報の少なくとも一方に基づいて選択した番組を遠隔制御装置に通知することによって、ユーザに煩わしさを感じさせないで、ユーザの関心がある番組の追加をユーザに知らせることができる。
【０２５８】
また、録画制御装置の制御手段は、放送スケジュールに追加された番組を自動的に録画予約または録画すれば、番組が追加されてから放送されるまでの期間が短く、ユーザが番組の追加を直ちに知らなかったような場合でも、その番組を見損ねてしまうのを避けることができる。
【０２５９】
この場合に、録画装置が、放送スケジュールに追加された番組の録画予約または録画を行ったことを知らせるメッセージを遠隔制御装置に送信すれば、ユーザは番組が追加されたことをも確認できるし、不必要な番組が録画されていないかどうかも確認できる。
【０２６０】
また、録画装置が、録画予約が追加される番組を録画するために必要な録画容量とその番組が録画される録画媒体の残り容量との比較結果を表示手段に表示すれば、ユーザは、表示された比較結果から録画媒体の残り容量が番組を録画するには不足していると判断することができる。残り容量が不足しているとユーザが判断した場合、ユーザが、その録画媒体に録画済みの番組を削除したり、録画予約が追加される番組の録画ビットレートを変更することによって、番組を録画するための録画容量が適切に確保され、番組の一部しか録画されなかったり、録画済み番組が不用意に上書きされてしまったりするのを避けることができる。
【０２６１】
また、遠隔制御装置の遠隔制御手段が録画装置に対して行う更新要求に、遠隔制御装置のユーザを特定する個人情報が含まれる場合、更新要求に含まれた個人情報を用いれば、録画装置は、遠隔制御装置のユーザを特定し、特定結果に基づいて録画や再生の制御を行うことができる。
【０２６２】
この場合に、録画装置が、個人情報に基づいて録画済み番組をフィルタリングして表示したり、マーク済み画像をフィルタリングして表示したりすることによって、番組の再生表示が可能な録画装置が複数人で共用される場合でも、ユーザは、そのユーザ自身が録画の操作を行った番組のうちから、再生表示する番組やマーカーを簡単に選択することが可能となる。
【図面の簡単な説明】
【図１】  実施の形態１における番組録画システムの構成図
【図２】  ＥＩＴの番組に関する情報の具体例を示す図
【図３】  本発明の遠隔制御方法を説明するフローチャート
【図４】  実施の形態１における番組録画システムの変形例の構成図
【図５】  実施の形態１における番組録画システムの他の変形例の構成図
【図６】  実施の形態１における遠隔制御装置の概観図
【図７】  実施の形態２における番組録画システムの構成図
【図８】  実施の形態２における録画予約画面の一例を示す図
【図９】  遠隔制御装置の動作を説明するフローチャート
【図１０】  録画装置の動作を説明するフローチャート
【図１１】  管理テーブルを説明する図
【図１２】  録画予約画面上の設定例を示す図
【図１３】  実施の形態３における番組録画システムの構成図
【図１４】  録画予約画面上の他の設定例を示す図
【図１５】  管理テーブルに格納される情報の一例を示す図
【図１６】  録画予約画面上のさらに他の設定例を示す図
【図１７】  追加放送があった場合のＥＩＴの番組に関する情報の具体例を示す図
【図１８】  追加放送があった場合に管理テーブルに格納される情報の例を示す図
【図１９】  追加放送があった場合の録画予約画面の一例を示す図
【図２０】  追加放送があった場合の録画予約画面の他の例を示す図
【図２１】  追加放送があった場合に管理テーブルに格納される情報の他の例を示す図
【図２２】  追加放送があった場合の録画予約画面のさらに他の例を示す図
【図２３】  実施の形態３における録画予約画面の一例を示す図
【図２４】  実施の形態３における録画番組の一覧表の一例を示す図
【図２５】  実施の形態３における他の録画システムの構成図
【図２６】  実施の形態３における他の録画システムの動作を説明する図
【図２７】  録画済み番組管理テーブルの具体例を示す図
【図２８】  実施の形態４における録画再生システムの構成図
【図２９】  実施の形態４における使用者管理テーブルを示す図
【図３０】  実施の形態４における録画情報管理テーブルを示す図
【図３１】  実施の形態４におけるマーカー管理テーブルを示す図
【図３２】  携帯電話におけるデータ送信のフローチャート
【図３３】  携帯電話機と録画再生装置間で通信される制御コマンドを示す図
【図３４】  特定操作者録画タイトル一覧テーブルを示す図
【図３５】  携帯電話機が表示する再生番組選択画面を示す図
【図３６】  特定操作者マーカー登録一覧テーブルを示す図
【図３７】  携帯電話機が表示する再生シーン選択画面を示す図
【図３８】  制御コマンドのオペレーションコード、オペランド一覧を示す図
【図３９】  実施の形態５における録画再生システムの構成図
【図４０】  実施の形態５における使用者管理テーブル
【図４１】  実施の形態５における制御コマンドを示す図
【図４２】  実施の形態６における録画再生システムの構成図
【図４３】  実施の形態６における録画情報管理テーブルを示す図
【図４４】  実施の形態７における録画システムの構成図
【図４５】  実施の形態７における録画操作者管理テーブルを示す図
【図４６】  実施の形態７における管理テーブルを示す図
【図４７】  実施の形態８における録画済み番組管理テーブルの一例を示す図
【図４８】  実施の形態８における管理テーブルの一例を示す図
【図４９】  実施の形態８における管理テーブルの他の例を示す図
【図５０】  実施の形態８における録画システムの動作を説明する図
【図５１】  削除レベル設定画面の一例を示す図
【図５２】  削除レベル設定画面の他の例を示す図
【図５３】  実施の形態８における録画済み番組管理テーブルの他の例を示す図
【符号の説明】
１    録画装置
２    アンテナ
３    チューナ
４    トランスポートデコーダ
５    録画手段
５Ａ    ＡＶデコーダ
６    モニタ（録画装置側）
７    保持手段
８    録画媒体
８Ａ    ＨＤＤ
９    更新手段
１０    サーバ装置
１１    ＲＡＭ（録画装置側）
１２    赤外線インタフェース（録画装置側）
１３    通信網インタフェース（録画装置側）
１４    ＣＰＵ（録画装置側）
１５    ＲＯＭ（録画装置側）
１６    番組通知手段
１７    追加番組選択手段
１００    遠隔制御装置
１０１    取得手段
１０２    決定手段
１０３    表示手段
１０３Ａ    モニタ
１０４    入力手段
１０４Ａ    入力インタフェース
１０５    赤外線インタフェース（遠隔制御装置側）
１０６    通信網インタフェース（遠隔制御装置側）
１０７    ＲＡＭ（遠隔制御装置側）
１０８    ＣＰＵ（遠隔制御装置側）
１０９    ＲＯＭ（遠隔制御装置側）
１１０    比較手段
１１１    ビットレート指示手段
１１２    削除番組指示手段
１１４    ＩＣカード
１１０    ＩＣカード
５０１    電話番号記憶部
５０２    暗証番号記憶部
５０３    携帯電話機入力部
５０４    携帯電話機表示部
５１１    使用者認定部
５１２    外部機器制御部
５１３    携帯電話機送受信部
５１４    ＩＣカード
６２１    録画再生装置送受信部
６２２    操作者特定部
６２３    番組登録部
６２４    番組検索部
６２５    番組再生部
６２６    マーカー登録部
６２７    マーカー検索部
６２８    シーン再生部
６２９    使用者管理テーブル
６３０    録画情報管理テーブル
６３１    マーカー情報管理テーブル
６３２    番組判定部
【図１】
0003720001.tif 000002
【図２】
0003720001.tif 000003
【図３】
0003720001.tif 000004
【図４】
0003720001.tif 000005
【図５】
0003720001.tif 000006
【図６】
0003720001.tif 000007
【図７】
0003720001.tif 000008
【図８】
0003720001.tif 000009
【図９】
0003720001.tif 000010
【図１０】
0003720001.tif 000011
【図１１】
0003720001.tif 000012
【図１２】
0003720001.tif 000013
【図１３】
0003720001.tif 000014
【図１４】
0003720001.tif 000015
【図１５】
0003720001.tif 000016
【図１６】
0003720001.tif 000017
【図１７】
0003720001.tif 000018
【図１８】
0003720001.tif 000019
【図１９】
0003720001.tif 000020
【図２０】
0003720001.tif 000021
【図２１】
0003720001.tif 000022
【図２２】
0003720001.tif 000023
【図２３】
0003720001.tif 000024
【図２４】
0003720001.tif 000025
【図２５】
0003720001.tif 000026
【図２６】
0003720001.tif 000027
【図２７】
0003720001.tif 000028
【図２８】
0003720001.tif 000029
【図２９】
0003720001.tif 000030
【図３０】
0003720001.tif 000031
【図３１】
0003720001.tif 000032
【図３２】
0003720001.tif 000033
【図３３】
0003720001.tif 000034
【図３４】
0003720001.tif 000035
【図３５】
0003720001.tif 000036
【図３６】
0003720001.tif 000037
【図３７】
0003720001.tif 000038
【図３８】
0003720001.tif 000039
【図３９】
0003720001.tif 000040
【図４０】
0003720001.tif 000041
【図４１】
0003720001.tif 000042
【図４２】
0003720001.tif 000043
【図４３】
0003720001.tif 000044
【図４４】
0003720001.tif 000045
【図４５】
0003720001.tif 000046
【図４６】
0003720001.tif 000047
【図４７】
0003720001.tif 000048
【図４８】
0003720001.tif 000049
【図４９】
0003720001.tif 000050
【図５０】
0003720001.tif 000051
【図５１】
0003720001.tif 000052
【図５２】
0003720001.tif 000053
【図５３】
0003720001.tif 000054